(57)【要約】  マスキングフィルム（１３）は、表示領域（Ｒ１）（発光領域）および封止領域内において、開口部を有するように形成し、その後、ストライプ状のパターンを有する発光層（８Ｒ・８Ｇ・８Ｂ）が形成し、その後にマスキングフィルム（１３）を剥離し、高精細にパターニングされた発光層（８Ｒ・８Ｇ・８Ｂ）を形成する。
2012090770.tif 000002
【特許請求の範囲】
【請求項１】
基板に蒸着膜を形成する蒸着膜の形成方法であって、
上記基板の所定領域に剥離可能な遮蔽フィルムを形成する工程と、
上記基板において、上記遮蔽フィルムを介して蒸着膜を形成する工程と、
上記遮蔽フィルムを剥離することで、上記蒸着膜を所定形状に形成する工程と、
を有することを特徴とする蒸着膜の形成方法。
【請求項２】
上記遮蔽フィルムは、複数のフィルム部材が重なりを許して並べられて構成されることを特徴とする請求項１に記載の蒸着膜の形成方法。
【請求項３】
上記遮蔽フィルムは、接着性または粘着性を有する面を有することを特徴とする請求項１または２に記載の蒸着膜の形成方法。
【請求項４】
上記遮蔽フィルムは、接着性を有する面を有さない樹脂フィルムにより形成され、熱融着により上記基板に接着されることを特徴とする請求項１または２に記載の蒸着膜の形成方法。
【請求項５】
上記遮蔽フィルムは、熱処理により上記基板から剥離されることを特徴とする請求項４に記載の蒸着膜の形成方法。
【請求項６】
上記遮蔽フィルムは、上記基板において、外部回路が接続される端子部領域を被覆するように形成されることを特徴とする請求項１から５の何れか１項に記載の蒸着膜の形成方法。
【請求項７】
上記蒸着膜は、互いに所定間隔を有する複数の直線状であり、所定方向に沿って形成されることを特徴とする請求項１から６の何れか１項に記載の蒸着膜の形成方法。
【請求項８】
上記基板上に上記蒸着膜を形成する工程の前、当該工程の後、または当該工程の前後には、上記遮蔽フィルムをマスクとして、上記蒸着膜とは異なる第１の膜を形成する工程が含まれており、
上記遮蔽フィルムの剥離は、上記第１の膜を形成する工程の後に行われることを特徴とする請求項１から６の何れか１項に記載の蒸着膜の形成方法。
【請求項９】
上記基板に上記蒸着膜を形成する工程の前、当該工程の後、または当該工程の前後には、貫通孔を有するマスクを用いて、上記蒸着膜とは異なる第２の膜を形成する工程が含まれており、
上記遮蔽フィルムの剥離は、上記第２の膜を形成する工程の後に行われることを特徴とする請求項１から６の何れか１項に記載の蒸着膜の形成方法。
【請求項１０】
上記基板に上記蒸着膜を形成する工程においては、
貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、上記蒸着膜が形成されることを特徴とする請求項１から９の何れか１項に記載の蒸着膜の形成方法。
【請求項１１】
上記マスクユニットにおける上記蒸着マスクと、上記基板とは、密着されていることを特徴とする請求項１０に記載の蒸着膜の形成方法。
【請求項１２】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層を所定形状に形成することを特徴とする表示装置の製造方法。
【請求項１３】
上記少なくとも発光層を含む有機層を形成する工程においては、上記遮蔽フィルムをマスクとして、上記有機層中、上記発光層以外の層、あるいは金属層あるいは無機層を形成する工程が含まれていることを特徴とする請求項１２に記載の表示装置の製造方法。
【請求項１４】
上記少なくとも発光層を含む有機層を形成する工程においては、貫通孔を有するマスクを用いて、上記有機層中、上記発光層以外の層、あるいは金属層あるいは無機層を形成する工程が含まれていることを特徴とする請求項１２または１３に記載の表示装置の製造方法。
【請求項１５】
上記遮蔽フィルムの剥離は、上記第２の電極を形成する工程の後に行われ、
上記第２の電極を形成する工程においては、上記遮蔽フィルムをマスクとして、上記第２の電極が形成されることを特徴とする請求項１２から１４の何れか１項に記載の表示装置の製造方法。
【請求項１６】
上記第２の電極を形成する工程においては、貫通孔を有するマスクを用いて、上記第２の電極が形成されることを特徴とする請求項１２から１４の何れか１項に記載の表示装置の製造方法。
【請求項１７】
上記遮蔽フィルムは、上記有機層のうちの少なくとも上記発光層を形成する工程の後であって、上記第２の電極を形成する工程の前に剥離されることを特徴とする請求項１６に記載の表示装置の製造方法。
【請求項１８】
上記表示領域において、上記第１の電極と、上記有機層と、上記第２の電極と、を封止部材で封止する工程を有し、
上記封止部材で封止する工程は、上記遮蔽フィルムを剥離することによって、少なくとも上記発光層を所定形状に形成する前に行われることを特徴とする請求項１２から１６の何れか１項に記載の表示装置の製造方法。
【請求項１９】
上記遮蔽フィルムをマスクとして、上記表示領域において、上記第１の電極と、上記有機層と、上記第２の電極と、を封止する封止膜を形成する工程を有し、
上記封止膜を形成する工程は、上記遮蔽フィルムを剥離することによって、少なくとも上記発光層を所定形状に形成する前に行われ、
上記遮蔽フィルムを剥離することによって、少なくとも上記発光層を所定形状に形成した後には、上記表示領域において、上記第１の電極と、上記有機層と、上記第２の電極と、上記封止膜と、を封止部材で封止する工程を行うことを特徴とする請求項１２から１６の何れか１項に記載の表示装置の製造方法。
【請求項２０】
上記表示領域において、上記第１の電極と、上記有機層と、上記第２の電極と、を封止部材で封止する工程を有し、
上記封止部材で封止する工程は、上記第２の電極を形成する工程の後に、行われることを特徴とする請求項１７に記載の表示装置の製造方法。
【請求項２１】
上記基板上に、上記マトリクス状に形成された第１の電極の行方向または、列方向に沿って、互いに所定間隔を有する複数の直線状の少なくとも上記発光層を形成する際には、
貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、少なくとも上記発光層が形成されることを特徴とする請求項１２から２０の何れか１項に記載の表示装置の製造方法。
【請求項２２】
上記マスクユニットにおける上記蒸着マスクと、上記基板とは、密着されていることを特徴とする請求項２１に記載の表示装置の製造方法。
【発明の詳細な説明】
【技術分野】
【０００１】
本発明は、所定形状にパターニングされた蒸着膜の形成方法および上記所定形状にパターニングされた蒸着膜を備えた表示装置の製造方法に関するものである。
【背景技術】
【０００２】
近年、様々な商品や分野でフラットパネルディスプレイが活用されており、フラットパネルディスプレイのさらなる大型化、高画質化、低消費電力化が求められている。【０００３】
そのような状況下において、有機材料の電界発光（Ｅｌｅｃｔｒｏｌｕｍｉｎｅｓｃｅｎｃｅ：以下、「ＥＬ」と記す）を利用した有機ＥＬ素子を備えた有機ＥＬ表示装置は、全固体型で、低電圧駆動、高速応答性、自発光性、広視野角特性等の点で優れたフラットパネルディスプレイとして、高い注目を浴びている。【０００４】
有機ＥＬ表示装置は、例えば、ＴＦＴ（薄膜トランジスタ）が設けられたガラス基板等からなる基板上に、ＴＦＴに電気的に接続された有機ＥＬ素子が設けられた構成を有している。【０００５】
例えば、フルカラーの有機ＥＬ表示装置では、一般的に、赤（Ｒ）、緑（Ｇ）、青（Ｂ）の各色の発光層を備えた有機ＥＬ素子がサブ画素として基板上に配列形成され、ＴＦＴを用いて、これら有機ＥＬ素子を選択的に所望の輝度で発光させることによりカラー画像表示を行うようになっている。【０００６】
したがって、有機ＥＬ表示装置を製造するためには、各色に発光する有機発光材料からなる発光層を有機ＥＬ素子毎に所定パターンで形成する必要がある。【０００７】
このような発光層を所定パターンで形成する方法としては、例えば、真空蒸着法、インクジェット法、レーザ転写法などが知られている。そして、例えば、低分子型有機ＥＬ表示装置（ＯＬＥＤ）では、真空蒸着法が用いられることが多い。【０００８】
真空蒸着法では、所定パターンの開口が形成されたマスク（シャドウマスクとも称される）が使用され、マスクが密着固定された基板の被蒸着面を蒸着源に対向させる。【０００９】
そして、蒸着源からの蒸着粒子（成膜材料）を、マスクの開口を通して被蒸着面に蒸着させることにより、所定パターンの薄膜が形成される。蒸着は発光層の色毎に行われ、これを「塗り分け蒸着」という。【００１０】
特許文献１および特許文献２には、基板に対してマスクを少しずつ移動させて各色の発光層の塗り分け蒸着を行う方法が記載されている。【００１１】
このような従来の塗り分け蒸着法においては、基板と同等の大きさのマスクが使用され、蒸着時にはマスクは基板の被蒸着面を覆うように固定されるようになっている。【００１２】
したがって、従来の塗り分け蒸着法においては、基板が大きくなればそれに伴ってマスクも大型化する必要がある。【００１３】
しかしながら、マスクを大きくすると、マスクの自重撓みや伸びにより、基板とマスクとの間に隙間が生じ易くなるとともに、その隙間の大きさは、基板の被蒸着面の位置によってそれぞれ異なる。【００１４】
よって、従来の塗り分け蒸着法を用いては、高精度なパターニングを行うのが難しく、蒸着位置のズレや混色が発生してしまうという問題があった。【００１５】
また、従来の塗り分け蒸着法においては、マスクを大きくすると、マスクなどを保持するフレームなども巨大になってしまい、その重量も増加するため、取り扱いが困難になり、生産性や安全性に支障をきたす恐れがある。【００１６】
そして、従来の塗り分け蒸着法においては、蒸着装置やそれに付随する装置も同様に巨大化、複雑化するため、装置設計が困難になり、設置コストも高額になってしまう。【００１７】
以上のように、従来の塗り分け蒸着法では、大型基板へ高精細にパターニングされた蒸着膜を形成するのが困難であり、例えば、６０インチサイズを超えるようなマスクが用いられる大型基板に対しては量産レベルで塗り分け蒸着が実現できていないのが現状である。
【先行技術文献】
【特許文献】
【００１８】
【特許文献１】日本国公開特許公報「特開平８−２２７２７６号公報（１９９６年９月３日公開）」
【特許文献２】日本国公開特許公報「特開２０００−１８８１７９号公報（２０００年７月４日公開）」
【発明の概要】
【発明が解決しようとする課題】
【００１９】
そこで、図１４および図１５に図示されているように、基板１０１よりも小さなシャドウマスク１０２を用いる塗り分け蒸着法が提案されている。【００２０】
この塗り分け蒸着法においては、開口部１０２ａを有するシャドウマスク１０２と、ノズル開口部１０３ａを有するノズル１０３と、ノズル１０３に接続された蒸着材料供給源とが、一体化されたマスクユニット１０５を用いるようになっている。【００２１】
そして、図１４に図示されているように、基板１０１の被蒸着面１０１ａとシャドウマスク１０２とを対向配置させるとともに、被蒸着面１０１ａとシャドウマスク１０２との隙間Ｇを一定に保ちながら、固定されているマスクユニット１０５に対して、基板１０１を図中の左右方向に走査しながら蒸着することで、基板１０１の被蒸着面１０１ａに、ストライプ状のパターンを有する蒸着膜を形成することができる。【００２２】
一方、上記塗り分け蒸着法においては、図１５に図示されているように、基板１０１を固定させ、固定されている基板１０１に対して、マスクユニット１０５を図中の左右方向に走査しながら蒸着することで、基板１０１の被蒸着面１０１ａに、ストライプ状のパターンを有する蒸着膜を形成することもできる。【００２３】
このような走査方式の塗り分け蒸着法においては、従来の塗り分け蒸着法のように基板と同等の大きさのマスクを用いる必要がないので、マスクサイズが大きくなることによって生じ得る上述したような問題は改善することができる。【００２４】
しかしながら、このような基板１０１よりも小さなシャドウマスク１０２を用いる走査方式の塗り分け蒸着法においては、以下のような問題が新たに生じる。【００２５】
図１６は、基板１０１の被蒸着面１０１ａを示す図であり、大型の基板１０１には、各有機ＥＬ表示装置において、蒸着膜（例えば、発光層など）の形成が必要となる蒸着領域Ｒ１と、蒸着膜（例えば、発光層など）の形成が必要でない端子部等となる蒸着不要領域Ｒ２と、がそれぞれ存在する。【００２６】
本来であれば、蒸着不要領域Ｒ２には、蒸着膜（例えば、発光層など）を形成する必要はないが、図１４および図１５に図示した走査方式の塗り分け蒸着法においては、図１６に図示されているように、蒸着領域Ｒ１のみでなく、蒸着不要領域Ｒ２にもストライプ状のパターンを有する蒸着膜１０６が形成されることとなる。【００２７】
以下、図１７に基づいて、ストライプ状のパターンを有する蒸着膜１０６が蒸着不要領域Ｒ２にも形成されてしまう理由について説明する。【００２８】
図１７に図示されているように、走査方式の塗り分け蒸着法において、蒸着不要領域Ｒ２に蒸着膜１０６が形成されないようにするためには、シャドウマスク１０２が、蒸着ＯＦＦライン、すなわち、シャドウマスク１０２の右先端が蒸着不要領域Ｒ２の左先端に達した際に、マスクユニットに備えられたノズルのノズル開口部から射出される蒸着粒子を射出されないようにすることが考えられる。【００２９】
しかし、このようにすると、蒸着不要領域Ｒ２に蒸着膜１０６が形成されないようにすることはできるが、蒸着領域Ｒ１において、シャドウマスク１０２が未だ残っている領域は、実質的に蒸着時間が短くなり、蒸着膜の膜厚が低下する蒸着量減少領域となってしまう。【００３０】
したがって、このような走査方式の塗り分け蒸着法においては、蒸着領域Ｒ１に均一な膜厚を有する蒸着膜１０６を形成するためには、図１６に図示されているように、仕方なく、蒸着領域Ｒ１のみでなく、蒸着不要領域Ｒ２にもストライプ状のパターンを有する蒸着膜１０６を形成していた。【００３１】
図１８は、蒸着不要領域Ｒ２に形成された蒸着膜１０６によって、生じ得る問題点を説明するための図である。【００３２】
図１８の（ａ）は、発光層として、走査方式の塗り分け蒸着法で形成した蒸着膜１０６を備えた有機ＥＬ表示装置１１３の概略構成を示す図である。【００３３】
図１８の（ｂ）は、有機ＥＬ表示装置１１３の端子部１０７ａを示す平面図である。【００３４】
図１８の（ａ）に図示されている有機ＥＬ表示装置１１３に備えられた基板１０１においては、蒸着領域Ｒ１のみでなく、蒸着不要領域Ｒ２にもストライプ状のパターンを有する蒸着膜１０６が形成されている。【００３５】
すなわち、図１８の（ｂ）に図示されているように、蒸着不要領域Ｒ２である配線１０７の端子部１０７ａにも蒸着膜１０６が形成されている。【００３６】
そして、外部回路と、蒸着不要領域Ｒ２に形成されている配線１０７の端子部１０７ａとは、異方性導電膜（ＡＣＦ：Ａｎｉｓｏｔｒｏｐｉｃ  Ｃｏｎｄｕｃｔｉｖｅ  Ｆｉｌｍ）１１１を介して、フレキシブルケーブル１１２等に電気的に接続されることとなるが、図１８の（ａ）に図示されているように、端子部１０７ａ上に蒸着膜１０６が形成されていると、電気的導通不良または電流リークを引き起こす原因となる。【００３７】
すなわち、蒸着膜１０６が、発光層などの有機蒸着膜のように高抵抗の膜である場合には、電気的導通不良となり、一方、蒸着膜１０６が金属膜のように低抵抗の膜である場合には、電流リークが生じることとなる。【００３８】
また、蒸着領域Ｒ１の４辺端部の蒸着不要領域Ｒ２には、封止樹脂１０９が枠状に形成され、封止樹脂１０９を介して、基板１０１と封止基板１１０とは貼り合わせられている。【００３９】
したがって、陽極（未図示）、正孔注入層兼正孔輸送層（未図示）、発光層としての蒸着膜１０６、電子輸送層（未図示）、電子注入層（未図示）、そして陰極１０８が順番に積層されてなる有機ＥＬ素子が大気中の水分や酸素にて劣化しないようにすることができる。【００４０】
しかしながら、封止樹脂１０９と基板１０１との間に蒸着膜１０６が介在すると、封止樹脂１０９と基板１０１との密着性が低下したり、空孔ができたりする。【００４１】
そのため、密着性の低い箇所や空孔の生じた箇所、あるいは蒸着膜１０６の膜中を通じて外部から水分や酸素が枠状に形成された封止樹脂内部に浸入し、有機ＥＬ素子が水分や酸素によって劣化してしまう恐れがある。【００４２】
このような問題を解決するため、基板１０１と封止基板１１０とを貼り合わせる前に、有機溶剤を用いて、蒸着不要領域Ｒ２に形成された蒸着膜１０６を拭き取ることも考えられるが、有機ＥＬ素子が有機溶剤や大気中の水分や酸素にて劣化してしまうため、蒸着不要領域Ｒ２に形成された蒸着膜１０６は、基板１０１と封止基板１１１とを貼り合わせた後であって、基板１０１が各有機ＥＬ表示装置１１３となるように分断された後に、有機溶剤を用いて拭き取られるのが一般的である。【００４３】
しかしながら、蒸着不要領域Ｒ２に形成された蒸着膜１０６を、基板１０１と封止基板１１１とを貼り合わせた後に、有機溶剤を用いて拭き取る場合であっても、以下のような問題が生じる。【００４４】
上記拭き取り工程においては、拭き取りが不十分で残渣が残りやすいとともに、拭き取りの際に新たな上乗り異物が生じやすいので、外部回路との接続不良が生じやすくなってしまうという問題がある。【００４５】
また、基板１０１と封止基板１１０との貼り合わせを、封止樹脂１０９を介して行っている場合、有機溶剤が封止樹脂１０９に損傷を与え、封止樹脂１０９において、上記有機溶剤によって損傷を受けた箇所からは、大気中の水分や酸素が浸透しやすくなってしまうという問題もある。【００４６】
したがって、例えば、このような拭き取り工程を含む製造方法によって製造された有機ＥＬ表示装置は、歩留まりが低く、信頼性を確保するのも困難であった。【００４７】
本発明は、上記の問題点に鑑みてなされたものであり、高精細なパターニングが可能な蒸着膜の形成方法と、歩留まりや信頼性の向上された表示装置の製造方法を提供することを目的とする。
【課題を解決するための手段】
【００４８】
本発明の蒸着膜の形成方法は、上記の課題を解決するために、基板に蒸着膜を形成する蒸着膜の形成方法であって、上記基板の所定領域に剥離可能な遮蔽フィルムを形成する工程と、上記基板において、上記遮蔽フィルムを介して、蒸着膜を形成する工程と、上記遮蔽フィルムを剥離することで、上記蒸着膜を所定形状に形成する工程と、を有することを特徴としている。【００４９】
上記方法によれば、上記基板の所定領域に剥離可能な遮蔽フィルムを形成した後に、上記基板上に、上記遮蔽フィルムを介して、比較的容易に高精細な蒸着膜を形成し、上記遮蔽フィルムを剥離することによって、上記蒸着膜を所定形状の高精細なパターンに形成できる。【００５０】
したがって、上記方法によれば、高精細なパターニングが可能となる。【００５１】
また遮蔽フィルムを介して蒸着膜を基板に形成した後に遮蔽フィルムを剥離するので、遮蔽フィルムを形成した領域に蒸着膜が形成される事を防止できる。【００５２】
本発明の表示装置の製造方法は、上記の課題を解決するために、基板上に複数のアクティブ素子を形成する工程と、上記各々のアクティブ素子に電気的に接続され、かつ、上記基板上の表示領域にマトリクス状に第１の電極を形成する工程と、上記第１の電極上に、少なくとも発光層を含む有機層を形成する工程と、少なくとも上記有機層上に、上記第１の電極とは逆の極性を有する第２の電極を形成する工程と、を有する表示装置の製造方法であって、上記有機層中、少なくとも上記発光層を形成する工程においては、上記表示領域を被覆せず且つ上記表示領域の周辺領域である非表示領域の少なくとも一部を被覆するように、剥離可能な遮蔽フィルムが形成され、上記基板上に、上記遮蔽フィルムを介して、上記マトリクス状に形成された第１の電極の行方向または、列方向に沿って、互いに所定間隔を有する複数の直線状の少なくとも上記発光層が形成され、上記有機層中、少なくとも上記発光層を形成する工程の後または、上記第２の電極を形成する工程の後に、上記遮蔽フィルムを剥離することによって、少なくとも上記発光層を所定形状に形成することを特徴としている。【００５３】
上記方法によれば、歩留まりや信頼性の向上された表示装置の製造方法を実現することができる。
【発明の効果】
【００５４】
本発明の蒸着膜の形成方法は、以上のように、上記基板の所定領域に剥離可能な遮蔽フィルムを形成する工程と、上記基板において、上記遮蔽フィルムを介して、互いに所定間隔を有する複数の直線状の蒸着膜を所定方向に沿って形成する工程と、上記遮蔽フィルムを剥離することで、上記蒸着膜を所定形状に形成する工程と、を有する方法である。【００５５】
また、本発明の表示装置の製造方法は、以上のように、上記有機層中、少なくとも上記発光層を形成する工程においては、上記表示領域を被覆せず且つ上記表示領域の周辺領域である非表示領域の少なくとも一部を被覆するように、剥離可能な遮蔽フィルムが形成され、上記基板上に、上記遮蔽フィルムを介して、上記マトリクス状に形成された第１の電極の行方向または、列方向に沿って、互いに所定間隔を有する複数の直線状の少なくとも上記発光層が形成され、上記有機層中、少なくとも上記発光層を形成する工程の後または、上記第２の電極を形成する工程の後に、上記遮蔽フィルムを剥離することによって、少なくとも上記発光層を所定形状に形成する方法である。【００５６】
それゆえ、高精細なパターニングが可能な蒸着膜の形成方法と、歩留まりや信頼性の向上された表示装置の製造方法を実現できる。
【図面の簡単な説明】
【００５７】
【図１】本発明の実施の形態１の有機ＥＬ表示装置の製造方法において、基板上にマスキングフィルムをパターン形成した様子を示す図である。
【図２】本発明の実施の形態１の有機ＥＬ表示装置の製造方法において、マスキングフィルムが剥離された後の基板を示す図である。
【図３】本発明の実施の形態１の有機ＥＬ表示装置の製造方法の各工程を示す図である。
【図４】従来の走査方式の塗り分け蒸着法を用いた有機ＥＬ表示装置の概略的な製造工程を示す図である。
【図５】本発明の実施の形態１の有機ＥＬ表示装置の製造方法において、用いることができるマスキングフィルムのパターン形状の一例を示す図である。
【図６】本発明の実施の形態１の有機ＥＬ表示装置の製造方法において、正孔注入層および正孔輸送層、電子輸送層、電子注入層をオープンマスクを用いずに形成する方法の一例を説明する図である。
【図７】本発明の実施の形態２の有機ＥＬ表示装置の製造方法において、基板に形成されたマスキングフィルムのパターン形状と発光層とを示す図である。
【図８】本発明の実施の形態２の有機ＥＬ表示装置の製造方法において、マスキングフィルムを剥離する工程と、封止領域の封止工程までを行った後の基板を示す図である。
【図９】本発明の実施の形態２の有機ＥＬ表示装置の製造方法の各工程を示す図である。
【図１０】本発明の実施の形態３の有機ＥＬ表示装置の製造方法において、基板に形成されたマスキングフィルムのパターン形状と発光層とを示す図である。
【図１１】本発明の実施の形態３の有機ＥＬ表示装置の製造方法において、マスキングフィルムを剥離する工程と、第２の電極の蒸着および封止領域の封止工程までを行った後の基板を示す図である。
【図１２】本発明の実施の形態３の有機ＥＬ表示装置の製造方法の各工程を示す図である。
【図１３】本発明の実施の形態３の有機ＥＬ表示装置の製造方法によって製造された有機ＥＬ表示装置の概略構成を示す図である。
【図１４】本発明の実施の形態３の有機ＥＬ表示装置の製造方法に用いることができる蒸着装置の一例を示す図である。
【図１５】本発明の実施の形態３の有機ＥＬ表示装置の製造方法に用いることができる蒸着装置の一例を示す図である。
【図１６】図１４または図１５に示す蒸着装置によって、基板に形成された蒸着膜の様子を示す図である。
【図１７】ストライプ状のパターンを有する蒸着膜が蒸着不要領域にも形成されてしまう理由について説明するための図である。
【図１８】蒸着不要領域に形成された蒸着膜によって、生じ得る問題点を説明するための図である。
【図１９】本発明の実施の形態４の有機ＥＬ表示装置の製造方法において、基板上にマスキングフィルムをパターン形成した様子を示す図である。
【図２０】本発明の実施の形態４および５の有機ＥＬ表示装置の製造方法の各工程を示す図である。
【図２１】本発明の実施の形態４の有機ＥＬ表示装置の製造方法において、用いることができるマスキングフィルムのパターン形状の一例を示す図である。
【図２２】本発明の実施の形態４の有機ＥＬ表示装置の製造方法において、用いることができるマスキングフィルムのパターン形状の他の一例を示す図である。
【図２３】本発明の実施の形態５の有機ＥＬ表示装置の製造方法において、基板上にマスキングフィルムをパターン形成した様子を示す図である。
【発明を実施するための形態】
【００５８】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００５９】
なお、以下の実施の形態においては、高精細なパターニングが可能な蒸着膜の形成方法が用いられる一例として、有機ＥＬ表示装置の製造方法を挙げて説明するが、これに限定されることはなく、本発明の蒸着膜の形成方法は、高精細にパターニングされた蒸着膜が要求されるあらゆる分野に適用することができる。
【００６０】
また、以下の実施の形態においては、有機ＥＬ表示装置の製造方法を一例に挙げて説明しているため、本発明の蒸着膜の形成方法を用いて形成される蒸着膜は、有機膜の場合となっているが、これに限定されることはなく、本発明の蒸着膜の形成方法は、無機膜の形成にも用いることができるのは勿論である。
【００６１】
〔実施の形態１〕
図１３は、有機ＥＬ表示装置１の概略構成を示す図であり、図１３の（ａ）は、有機ＥＬ表示装置１の表示領域を構成する有機ＥＬ素子１０の断面を示したものである。
【００６２】
薄膜トランジスタ２（以下、「ＴＦＴ」と記す）が形成された基板３上に、層間絶縁膜４、第１の電極５およびエッジカバー６が形成されている。
【００６３】
基板３としては、例えば、無アルカリガラスやプラスチックなどを用いることができるが、本実施の形態においては、板厚０．７ｍｍの無アルカリガラスを使用した。
【００６４】
そして、層間絶縁膜４およびエッジカバー６としては、既知の感光性樹脂を用いることができ、上記感光性樹脂としては、例えば、アクリル樹脂やポリイミド樹脂などが挙げられる。
【００６５】
なお、本実施の形態においては、層間絶縁膜４およびエッジカバー６として、感光性アクリル樹脂を用いた。
【００６６】
また、第１の電極５は、電極材料をスパッタ法などで形成した後、フォトリソグラフィ技術およびエッチングにより個々の画素に対応してパターン形成されている。
【００６７】
第１の電極５としては、様々な導電性材料を用いることができるが、基板側に光を放射するボトムエミッション型有機ＥＬ素子の場合、透明または半透明の必要がある。一方、基板とは反対側から光を放射するトップエミッション型有機ＥＬ素子の場合には、第２の電極９が透明または半透明の必要がある。
【００６８】
また、ＴＦＴ２は既知の方法にて作製され、本実施の形態においては、ＴＦＴ２を各画素に形成したアクティブマトリクス型の有機ＥＬ表示装置の製造について述べるが、これに限らずＴＦＴ２のないパッシブマトリクス型の有機ＥＬ表示装置についても、本発明は適用可能である。
【００６９】
エッジカバー６は、第１の電極５の端部で有機ＥＬ層が薄くなり、第２の電極９との間で短絡するのを防止するために、第１の電極５の端部を覆うように形成されており、エッジカバー６のない部分で第１の電極５が露出している。この露出部分が各画素の発光部となる。
【００７０】
図示されているように、第１の電極５上に各有機ＥＬ層を形成する。有機ＥＬ層としては、例えば、正孔注入層および正孔輸送層７、発光層８Ｒ・８Ｇ・８Ｂ、図示してないが、電子輸送層および電子注入層などが挙げられる。
【００７１】
そして、図示してないが、必要に応じて正孔、電子といったキャリアの流れをせき止めるキャリアブロッキング層が挿入されていてもよい。
【００７２】
また、一つの層が複数の機能を有していてもよく、例えば、正孔注入層および正孔輸送層７のように、正孔注入層と正孔輸送層とを兼ねた一つの層を形成してもよい。
【００７３】
本実施の形態においては、第１の電極５を陽極とし、第１の電極５側より正孔注入層および正孔輸送層７、発光層８Ｒ・８Ｇ・８Ｂ、電子輸送層（未図示）、電子注入層（未図示）、そして第２の電極９を陰極とした順番で積層した。
【００７４】
なお、第１の電極５を陰極とする場合には、上記積層順は反転する。
【００７５】
また、本実施の形態においては、ボトムエミッション型有機ＥＬ素子とするため、第１の電極５として、ＩＴＯ（インジウム−スズ酸化物）を用いた。
【００７６】
そして、有機ＥＬ層の各材料としては、既知の材料を用いることができ、発光層８Ｒ・８Ｇ・８Ｂとしては単一材料を用いたもの、あるいはある材料をホスト材料とし、他の材料をゲスト材料またはドーパントとして混ぜ込んだ混合型が用いられる。
【００７７】
以下、各有機ＥＬ層の材料として用いることができる具体例を示す。
【００７８】
正孔注入層および正孔輸送層７の材料としては、例えば、アントラセン、アザトリフェニレン、フルオレノン、ヒドラゾン、スチルベン、トリフェニレン、ベンジン、スチリルアミン、トリフェニルアミン、ポルフィリン、トリアゾール、イミダゾール、オキサジアゾール、オキザゾール、ポリアリールアルカン、フェニレンジアミン、アリールアミン、およびこれらの誘導体、チオフェン系化合物、ポリシラン系化合物、ビニルカルバゾール系化合物、アニリン系化合物などの、複素環式または鎖状式共役系のモノマー、オリゴマー、またはポリマーなどを用いることができる。
【００７９】
そして、発光層８Ｒ・８Ｇ・８Ｂの材料としては、低分子蛍光色素、金属錯体などの発光効率が高い材料が用いられる。例えば、アントラセン、ナフタレン、インデン、フェナントレン、ピレン、ナフタセン、トリフェニレン、ペリレン、ピセン、フルオランテン、アセフェナントリレン、ペンタフェン、ペンタセン、コロネン、ブタジエン、クマリン、アクリジン、スチルベン、およびこれらの誘導体、トリス（８−キノリノラト）アルミニウム錯体、ビス（ベンゾキノリノラト）ベリリウム錯体、トリ（ジベンゾイルメチル）フェナントロリンユーロピウム錯体、ジトルイルビニルビフェニル、ヒドロキシフェニルオキサゾール、ヒドロキシフェニルチアゾールなどが挙げられる。
【００８０】
電子輸送層や電子注入層の材料としては、例えば、トリス（８−キノリノラト）アルミニウム錯体、オキサジアゾール誘導体、トリアゾール誘導体、フェニルキノキサリン誘導体、シロール誘導体などを用いることができる。
【００８１】
そして、図１３の（ｂ）は、第１の電極５、正孔注入層および正孔輸送層７、発光層８Ｒ・８Ｇ・８Ｂ、電子輸送層、電子注入層、第２の電極９を備えた有機ＥＬ素子１０が、封止されている様子を示す図である。
【００８２】
図示されているように、有機ＥＬ素子１０が大気中の水分や酸素にて劣化しないように、複数の有機ＥＬ素子１０が設けられた有機ＥＬ表示装置１の表示領域の４辺端部には、封止樹脂１１が枠状に形成され、封止樹脂１１を介して、基板３と封止基板１２とが貼り合わせられている。
【００８３】
なお、本実施の形態においては、封止基板１２として、ガラス基板を用いており、接着性を有する枠状の封止樹脂１１を介して、基板３と封止基板１２とを貼り合わせることによって、有機ＥＬ素子１０の封止を行っているが、有機ＥＬ素子１０の封止方法はこれに限定されることはなく、例えば、有機ＥＬ素子１０の上面には、水分や酸素の透過しにくい緻密な封止膜をＣＶＤ法などで形成し、有機ＥＬ素子１０の側面には、全面に接着剤を塗布して封止基板と貼り合わせたり、あるいはフリットガラス（粉末ガラス）を枠状に形成したりして、有機ＥＬ素子１０の封止を行ってもよい。
【００８４】
さらには、必要に応じて上記封止方法を併用してもよい。
【００８５】
図３は、有機ＥＬ表示装置１の概略的な製造工程を示す図である。
【００８６】
先ず、既知の方法で、ＴＦＴおよび上記ＴＦＴと電気的に接続された第１の電極を備えた基板３を作製する（Ｓ１）。
【００８７】
そして、基板３上において端子部などが形成されている蒸着不要領域Ｒ２を覆うように、マスキングフィルム１３（剥離可能な遮蔽フィルム）を形成（即ち接着）する（Ｓ２）。
【００８８】
図１は、基板３上にマスキングフィルム１３をパターニング形成した様子を示す図である。
【００８９】
図示されているように、マスキングフィルム１３は、枠状に形成される封止樹脂１１の内側には形成されず、枠状に形成される封止樹脂１１の外側のみに形成されている。
【００９０】
すなわち、基板３上の各有機ＥＬパネルの封止領域外のみにマスキングフィルム１３が形成され、表示領域Ｒ１（発光領域）および封止領域内には、マスキングフィルム１３が形成されないようにしてある。
【００９１】
本実施の形態においては、後工程において剥離可能なマスキングフィルム１３を用いている。例えば、接着性または粘着性を有する一般的なマスキングフィルム１３を用いている。本実施の形態では、このマスキングフィルム１３は、複数の矩形状フィルム（フィルム部材）を重なりを許して並べることで、図１に示す様なパターンに形成されている。具体的には例えば、マスキングフィルム１３は、例えば基板走査方向に直交する方向（以後、走査直交方向と呼ぶ）に伸びた複数（例えば３つ）の長尺な矩形フィルム１３ａと、例えば基板走査方向に伸びた複数（例えば６つ）の短尺な矩形フィルム１３ｂとが並べられて構成されている。
【００９２】
各長尺な矩形フィルム１３ａはそれぞれ、基板３における基板走査方向の上流端および下流端並びに基板走査方向に隣り合う各表示領域Ｒ間の領域において、走査直交方向に沿って基板３の端から端まで伸びるように形成されている。各短尺な矩形フィルム１３ｂはそれぞれ、各表示領域Ｒ１における走査直交方向の両側に隣接する各領域において、基板走査方向に伸びるように成されている。なお、基板走査方向に隣り合う２つの短尺な矩形フィルムを、基板走査方向に沿って基板３の端から端まで伸びた１つの長尺な矩形フィルムに置き換えてもよい。この場合は、その１つの長尺なフィルムは、走査直交方向に伸びた各長尺な矩形フィルム３ａと交差することになる。なお、このようにマスキングフィルム１３を複数の矩形フィルムを用いて形成する代わりに、１枚のフィルムにより形成してもよい。
【００９３】
マスキングフィルム１３は、汎用のものを用いることができるが、吸水量が少なく、真空中での脱ガスが少ないものを用いることが好ましい。
【００９４】
吸水量が多いと、有機ＥＬ素子の作製工程中に、マスキングフィルム１３から脱離した水分が有機ＥＬ素子を構成する膜に損傷を与えてしまう恐れがある。
【００９５】
また、有機ＥＬ素子の作製工程においては、第１の電極の表面を洗浄する目的として、一般的に、少なくとも発光層を含む有機層を形成する前に第１の電極表面をプラズマ処理やＵＶ処理を行う。
【００９６】
したがって、これらの処理において、マスキングフィルム１３が劣化し、発生した分解物が有機ＥＬ素子に影響を与えないように、これらの処理に対して、高耐性を有するマスキングフィルム１３を用いることが好ましい。またはそれらの処理後にマスキングフィルム１３を接着するほうが好ましい。また、接着力が強いと、剥離する時にＴＦＴ基板を損傷させる虞があるため、剥離のために適宜接着力が調整されていることが好ましい。さらに、接着剤が残渣として残らないように、糊残りの少ないマスキングフィルム１３を用いることが好ましい。例えば、それらに合致するマスキングフィルム１３として、一般的な微粘着再剥離フィルムを用いることができる。なお、本実施の形態においては、後工程において剥離可能なパターン膜として、接着および再剥離し得るマスキングフィルム１３を用いているが、これに限定されることはなく、例えば、後工程において剥離可能なパターン膜をスクリーン印刷法などを用いて形成してもよい。
【００９７】
なお、マスキングフィルム１３の接着には一般的なラミネータ装置を用いることができる。ＴＦＴ作製工程において使用されるような半導体プロセス装置は、高度な機構制御、材料管理や温度管理等が必要であり非常に設備コストが高い。一方で、ラミネータ装置であれば、そのような高度な制御が不要であり、半導体プロセス装置に比べて安価な設備である。同様に有機ＥＬ表示装置の製造装置に比べても安価である。
【００９８】
そして、基板３上のマスキングフィルム１３上に所定形状の開口部を有するシャドウマスクを密着固定させ、正孔注入層および正孔輸送層を従来の真空蒸着法により全面に形成する（Ｓ３）。
【００９９】
本実施の形態においては、シャドウマスクを用いて正孔注入層および正孔輸送層を形成しているが、マスキングフィルム１３も併用して、正孔注入層および正孔輸送層を形成することもできる。すなわち、図１において、第２の電極接続部Ｒ３はマスキングフィルム１３の開口部に含まれるため、マスキングフィルム１３のみをマスクとして正孔注入層および正孔輸送層を形成すると、それら各層は第２の電極接続部Ｒ３上にも形成される。その場合、第２の電極接続部Ｒ３と第２の電極との間に有機膜が介在してしまうため、接触不良を起こす恐れがある。したがって、第２の電極接続部Ｒ３の部分を遮蔽するシャドウマスクを用い、その他の部分はマスキングフィルム１３をマスクとすることで、所定の形状の正孔注入層および正孔輸送層を形成できる。なお、正孔注入層および正孔輸送層は複数の有機ＥＬ素子全面に一括して蒸着すればよいため、高精度なパターニングを行う必要がなく、表示領域Ｒ１が全面的に開口しているオープンマスクを用いればよい。オープンマスクであれば、マスクを保持するフレームをあまり大きくせず、重量が大きくならないので、大型基板への蒸着にも適用できる。さらには、マスキングフィルム１３を併用することによって、オープンマスクで遮蔽する最低限の領域は第２の電極接続部Ｒ３のみとなり、その他の部分の遮蔽を考慮する必要がなくなる。そのため、高度な開口の加工精度や位置合わせ精度の必要性が低くなるため、オープンマスクの作製費やマスクの位置合わせ機構等の設備コストの低減が図れる。
【０１００】
次に、図１４に図示されているような基板１０１よりも走査方向において幅の狭いシャドウマスク１０２を用いるとともに、開口部１０２ａを有するシャドウマスク１０２と、ノズル開口部１０３ａを有するノズル１０３と、ノズル１０３に接続された蒸着材料供給源１０４とが、一体化されたマスクユニット１０５に対して、基板１０１を図中の左右方向に走査しながら蒸着を行い、図１に図示されているように、図中の左右方向に伸びるストライプ状のパターンを有する発光層８Ｒ・８Ｇ・８Ｂを形成した（Ｓ４）。
【０１０１】
本実施の形態においては、各色Ｒ・Ｇ・Ｂのサブ画素に対応する部分のみ開口している各色用のシャドウマスク１０２の長手方向の長さは、図１に示す表示領域Ｒ１の上下方向の長さに設定されており、図１の上端の表示領域Ｒ１に発光層８Ｒ・８Ｇ・８Ｂを形成する際には、基板３は、マスクユニット１０５に対して、図中右方向に走査され、そして、図１の下端の表示領域Ｒ１に発光層８Ｒ・８Ｇ・８Ｂを形成する際には、基板３は、マスクユニット１０５に対して、図中上方向に移動され、アライメント調整された後に、図中左方向に走査されることとなる。
【０１０２】
なお、シャドウマスク１０２の形状は、これに限定されず、シャドウマスク１０２の自重撓みや伸びが生じない程度であれば、適宜設定することができる。また、図１の上端と下端の表示領域Ｒ１に対して、一括して蒸着することもできる。
【０１０３】
そして、発光層８Ｒの蒸着の際には、蒸着材料供給源１０４よりＲ（赤）の蒸着粒子を射出させ、Ｒのサブ画素に対応する部分のみ開口しているシャドウマスク１０２にて上記の走査による蒸着を行うことで、それぞれのＲのサブ画素に発光層８Ｒが形成される。
【０１０４】
発光層８Ｇおよび発光層８Ｂについても同様の方法を用いて、それぞれのサブ画素に対応する部分に発光層を形成した。
【０１０５】
すなわち、本実施の形態においては、走査方式の塗り分け蒸着法によって、発光層８Ｒ・８Ｇ・８Ｂが形成されている。
【０１０６】
したがって、図１に図示されているように、マスキングフィルム１３が形成されてない表示領域Ｒ１（発光領域）および封止領域内においては、正孔注入層および正孔輸送層上にストライプ状のパターンを有する発光層８Ｒ・８Ｇ・８Ｂが形成され、一方、マスキングフィルム１３が形成されている蒸着不要領域Ｒ２においては、マスキングフィルム１３上に形成された正孔注入層および正孔輸送層上にストライプ状のパターンを有する発光層８Ｒ・８Ｇ・８Ｂが形成されることとなる。
【０１０７】
本実施の形態においては、図１４のように、マスクユニット１０５に対して、基板１０１を走査し蒸着を行ったが、図１５のように、基板１０１に対して、マスクユニット１０５を走査し蒸着を行ってもよい。
【０１０８】
また、本実施の形態においては、図１４のように、基板１０１の被蒸着面１０１ａとシャドウマスク１０２との隙間Ｇを所定間隔あけて、基板１０１の被蒸着面１０１ａに、ストライプ状のパターンを有する発光層８Ｒ・８Ｇ・８Ｂを形成したが、基板１０１の被蒸着面１０１ａとシャドウマスク１０２とが密着された状態で走査し、ストライプ状のパターンを有する発光層８Ｒ・８Ｇ・８Ｂを形成することもできる。
【０１０９】
そして、本実施の形態においては、ストライプ状のパターンを有する発光層８Ｒ・８Ｇ・８Ｂを形成するため、図１４に示すような蒸着装置を用いたが、膜厚が均一で、精細なストライプ状のパターンを形成できるのであれば、用いる蒸着装置の種類には、特に限定されない。
【０１１０】
その後、基板３上のマスキングフィルム１３上に所定形状の開口部を有するシャドウマスクを密着固定させ、電子輸送層、電子注入層を従来の真空蒸着法により順次全面に形成する（Ｓ５、Ｓ６）。
【０１１１】
その後、基板３の上のマスキングフィルム１３をマスクとして、第２の電極を従来の真空蒸着法により順次全面に形成する（Ｓ７）。
【０１１２】
そして、図１に図示されているように、表示領域Ｒ１を含む封止領域内およびマスキングフィルム１３が形成されている領域の全面に形成される上記第２の電極において、表示領域Ｒ１の上下端部分に形成される部分は、基板３上に形成された第２の電極の接続部Ｒ３によって基板３上の配線と電気的に接続される。
【０１１３】
本実施の形態においては、シャドウマスクを用いて、電子輸送層、電子注入層を形成しているが、正孔注入層および正孔輸送層の形成の際に述べたように、マスキングフィルム１３も併用することができる。なお、第２電極の接続部Ｒ３と第２の電極との電気的接続に影響を与えないのであれば、電子注入層は第２の電極と同様の方法で形成することができる。すなわち、電子注入層もマスキングフィルム１３のみをマスクとして形成し得る。
【０１１４】
以上のように、蒸着が完了した基板３に対して、第１の電極、正孔注入層および正孔輸送層、発光層８Ｒ・８Ｇ・８Ｂ、電子輸送層、電子注入層、第２の電極を備えた有機ＥＬ素子が大気中の水分や酸素にて劣化しないよう、表示領域Ｒ１を含む封止領域の封止を行う（Ｓ８）。
【０１１５】
図１に図示されているように、表示領域Ｒ１を含む封止領域の４辺端部には、封止樹脂１１が枠状に形成され、封止樹脂１１を介して、基板３と封止基板（未図示）とが貼り合わせられている。
【０１１６】
そして、マスキングフィルム１３の剥離を行う（Ｓ９）。マスキングフィルム１３を剥離することで、マスキングフィルム１３の表面に積層された積層膜（正孔注入層および正孔輸送層、発光層８Ｒ・８Ｇ・８Ｂ、電子輸送層、電子注入層、第２の電極）も共に剥離することができる。なお、マスキングフィルム１３は、フィルムの状態で機械的に剥離することができるようになっている。なお、マスキングフィルム１３を剥離する剥離装置においては、単純にフィルムを機械的に剥離するような装置であればよいため、上述したマスキングフィルム１３の接着用のラミネート装置と同様に、安価な設備となる。
【０１１７】
図２は、マスキングフィルム１３が剥離された後の基板３を示す図である。
【０１１８】
図示されているように、蒸着不要領域Ｒ２には、正孔注入層および正孔輸送層、発光層８Ｒ・８Ｇ・８Ｂ、電子輸送層、電子注入層、第２の電極は積層されておらず、第１の電極が形成されている表示領域Ｒ１を含む封止領域にのみ、正孔注入層および正孔輸送層、発光層８Ｒ・８Ｇ・８Ｂ、電子輸送層、電子注入層、第２の電極が積層されている。
【０１１９】
その後、各有機ＥＬパネル毎に基板３を分断し（Ｓ１０）、蒸着不要領域Ｒ２に形成されている端子部を用いて外部回路（駆動回路）との接続を行い（Ｓ１１）、有機ＥＬ表示装置１を完成させる。
【０１２０】
以上のような工程により、有機ＥＬ表示装置１が作製され、外部に形成された駆動回路から、個々のサブ画素毎に備えられた有機ＥＬ素子に電流を流し発光させることで、所望の表示を行うことができるようになっている。
【０１２１】
以下では、後工程において剥離可能なマスキングフィルム１３を備えていない、従来の走査方式の塗り分け蒸着法を用いた有機ＥＬ表示装置の製造工程との比較を行いながら、後工程において剥離可能なマスキングフィルム１３を備えることによって生じ得るメリットについて詳しく説明する。
【０１２２】
図４は、後工程において剥離可能なパターン膜を備えていない、従来の走査方式の塗り分け蒸着法を用いた有機ＥＬ表示装置の概略的な製造工程を示す図である。
【０１２３】
図示されているように、先ず、既知の方法で、ＴＦＴおよび上記ＴＦＴと電気的に接続された第１の電極を備えた基板を作製する（Ｓ１０１）。
【０１２４】
そして、マスキングフィルム１３が備えられてないため、通常のオープンマスクを用いて、基板上に正孔注入層および正孔輸送層を真空蒸着法により全面に形成する（Ｓ１０２）。
【０１２５】
図４に示す従来の走査方式の塗り分け蒸着法を用いた有機ＥＬ表示装置の製造工程においては、マスキングフィルム１３が備えられてないため、マスキングフィルム１３をマスクとして併用することができず、通常のオープンマスクのみで蒸着する必要が生じる。
【０１２６】
したがって、本発明の有機ＥＬ表示装置１の製造工程においては、蒸着マスク（オープンマスク）の簡略化およびそれに伴う装着時間の削減による装置タクトタイムの向上（生産性の向上）および設備コストの低減を図ることができ、有機ＥＬ表示装置の製造コストの削減を実現できる。
【０１２７】
さらには、図３に示す本発明の有機ＥＬ表示装置１の製造工程においては、マスキングフィルム１３をマスクとして併用することができるので、オープンマスクの密着面積の低減により、オープンマスクの接触による基板上のパターンの損傷の低減を図れるとともに、マスキングフィルム１３が、端子部が形成される蒸着不要領域Ｒ２を覆い、端子部の保護膜としての役割もするため、オープンマスクと端子部との直接的な接触をさけることができるので、上記オープンマスクによる端子部への損傷を防止することができ、有機ＥＬ表示装置の歩留まりの向上を実現できる。
【０１２８】
さらには、マスキングフィルム１３が、端子部が形成される蒸着不要領域Ｒ２を覆っているので、端子部などへの異物の上乗りを防止でき、有機ＥＬ表示装置の信頼性を向上させることができる。また、マスキングフィルム１３の粘着性によって、マスキングフィルム１３の接着前から付着していた異物を除去することができ、有機ＥＬ表示装置の歩留まりを向上することができる。
【０１２９】
それから、図１４に図示されているような蒸着装置を用いて、本発明の有機ＥＬ表示装置１の製造工程と同様に、ストライプ状のパターンを有する発光層を形成した（Ｓ１０３）。
【０１３０】
しかしながら、図４に示す従来の走査方式の塗り分け蒸着法を用いた有機ＥＬ表示装置の製造工程においては、蒸着不要領域Ｒ２を覆うマスキングフィルム１３が設けられていないため、ストライプ状のパターンを有する発光層は、蒸着不要領域Ｒ２にも蒸着されてしまい、結果として端子部上に発光層が直接蒸着されることとなる。
【０１３１】
したがって、詳しくは後述するが、有機溶剤による蒸着不要領域Ｒ２に形成された発光層の拭き取り工程（Ｓ１０９）が別途必要となるため、有機ＥＬ表示装置の生産性および歩留まりの低下を招いてしまう。
【０１３２】
そして、マスキングフィルム１３が備えられていないため、通常のオープンマスクのみを用いて、基板上に電子輸送層、電子注入層および第２の電極を従来の真空蒸着法により順次全面に形成する（Ｓ１０４、Ｓ１０５、Ｓ１０６）。
【０１３３】
上記電子輸送層および電子注入層の形成工程においては、マスキングフィルム１３が備えられていないため、マスキングフィルム１３をマスクとして併用することができず、基板上に正孔注入層および正孔輸送層を真空蒸着法により全面に形成する工程（Ｓ１０２）の箇所で既に説明しているような問題が同様に生じる。さらに、第２の電極の形成工程においては、マスキングフィルム１３をマスクとして用いることができず、通常のオープンマスクを用いる必要がある。そのため、上記電子輸送層および電子注入層の形成と同様の問題が生じるばかりか、オープンマスクの使用に伴う設備が必要となる。
【０１３４】
その後、図３に示す本発明の有機ＥＬ表示装置１の製造工程と同様に、有機ＥＬ素子の封止工程（Ｓ１０７）および各有機ＥＬパネル毎に基板を分断する工程（Ｓ１０８）を行う。
【０１３５】
それから、有機溶剤による蒸着不要領域Ｒ２に形成された発光層の拭き取り工程（Ｓ１０９）を行う。
【０１３６】
図３に示す本発明の有機ＥＬ表示装置１の製造工程においては、マスキングフィルム１３を機械的に剥離するだけで容易に除去できるので、このような拭き取り工程は不要となるが、図４に示す従来の走査方式の塗り分け蒸着法を用いた有機ＥＬ表示装置の製造工程においては、この拭き取り工程が必須の工程であり、その工程中に以下のような問題を引き起こす恐れがある。
【０１３７】
先ず、上記拭き取り工程においては、有機溶剤を用いて、蒸着された発光層を直接蒸着不要領域Ｒ２から拭き取らなければならないが、蒸着された発光層を完全に除去することは容易ではなく、残渣が残りやすいという問題が生じる。
【０１３８】
また、上記拭き取り工程においては、新たな上乗り異物が発生しやすく、端子部などが形成された蒸着不要領域Ｒ２に、これらの異物が存在する場合、端子部を外部回路と接続する際に、電気的な不良を引き起こしてしまい、有機ＥＬ表示装置の歩留まりの低下を招いてしまう。
【０１３９】
さらには、封止樹脂などを用いて、封止基板と基板とを貼り合わせているような場合には、上記有機溶剤が封止樹脂に損傷を与え、有機ＥＬ表示装置の信頼性を低下させてしまうという問題もある。
【０１４０】
その後、拭き取りを行った端子部を用いて外部回路（駆動回路）との接続を行い（Ｓ１１０）、有機ＥＬ表示装置を完成させる。
【０１４１】
以下、図５に基づいて、本発明の有機ＥＬ表示装置１の製造工程において、用いることができるマスキングフィルム１３の他のパターンの一例について説明する。
【０１４２】
図５は、赤（Ｒ）、緑（Ｇ）、青（Ｂ）の各色の発光層を備えた有機ＥＬ素子を有する３種類のサブ画素が図中の上下方向において隣接するように配置されて、有機ＥＬ表示装置の１画素を形成する場合であって、マスキングフィルム１３が蒸着不要領域Ｒ２における発光層８Ｒ・８Ｇ・８Ｂが形成されている領域には、少なくとも形成されている一例を示す図である。
【０１４３】
図示されているように、ストライプ状のパターンを有する発光層８Ｒ・８Ｇ・８Ｂが形成されてない蒸着不要領域Ｒ２に関しては、マスキングフィルム１３で覆う必要性は必ずしもないので、マスキングフィルム１３を図５の（ａ）のように図中上下方向に伸びるストライプ状や図５の（ｂ）のように島状に形成してもよい。
【０１４４】
図５に図示されているように、マスキングフィルム１３で被覆されていない蒸着不要領域Ｒ２が存在する場合においては、例えば、マスキングフィルム１３を発光層８Ｒ・８Ｇ・８Ｂ以外の有機膜の蒸着時にマスクとして用いることができない領域が存在するなど、マスキングフィルム１３を図１に示すようなパターンに設けた場合と比較すると、その得られる効果は少なくなるが、ストライプ状のパターンを有する発光層８Ｒ・８Ｇ・８Ｂについては、高精細なパターニングを行うことができる。
【０１４５】
そして、マスキングフィルム１３のパターンを図５のように形成することにより、マスキングフィルム１３の使用量を減らすことができるので、材料費の削減を図ることができるとともに、マスキングフィルム１３からの脱ガスの量を減らすことができ、有機ＥＬ素子への悪影響もより減らすことができる。
【０１４６】
なお、図５に示したマスキングフィルム１３のパターン形状は、一例であり、基板面内の有機ＥＬパネルの数、その配置、機種およびその大きさなどを考慮して、適宜マスキングフィルム１３のパターン形状を決めればよい。
【０１４７】
また、本実施の形態においては、図１４に図示されているように、基板１０１の被蒸着面１０１ａとシャドウマスク１０２との隙間Ｇを一定に保ちながら、固定されているマスクユニット１０５に対して、基板１０１を図中の左右方向に走査しながら蒸着することで、基板１０１の被蒸着面１０１ａに、ストライプ状のパターンを有する発光層８Ｒ・８Ｇ・８Ｂを形成したが、これに限定されることはなく、基板１０１の被蒸着面１０１ａとシャドウマスク１０２とを密着させながら、基板１０１を滑らせ蒸着させてもよい。
【０１４８】
そして、このような場合においては、基板１０１の被蒸着面１０１ａとシャドウマスク１０２との密着によって、生じ得る基板１０１の被蒸着面１０１ａの損傷をマスキングフィルム１３により防止することができる。
【０１４９】
また、本実施の形態においては、正孔注入層および正孔輸送層、電子輸送層、電子注入層をオープンマスクを用いて蒸着したが、上述した発光層のように、図１４のような蒸着方法を用いて形成することもできる。その場合、ストライプ状にパターニングするマスクの代わりに、表示領域Ｒ１の全面が開口したマスクを用いればよい。
【０１５０】
また、本実施の形態においては、正孔注入層および正孔輸送層、電子輸送層、電子注入層をオープンマスクを用いて蒸着したが、第２の電極を基板３の配線に接続するその他の手段があれば、オープンマスクを用いず、第２の電極と同じようにしてそれら各層を形成することもできる。例えば、図６のように、基板上３にエッジカバー６等を用いて凸部２５１が形成されており、その上に正孔注入層および正孔輸送層７、電子輸送層（未図示）、電子注入層（未図示）、および第２の電極９が形成されている。封止基板１２には第２の電極接続部Ｒ３が形成されており、第２の電極接続部Ｒ３は第２の電極９と接触している。第２の電極接続部Ｒ３は封止基板１２上の配線２５４にて封止領域外に引き出され、導電性ペースト２５２によって、基板３の配線２５３に接続されている。以上のような構造により、第２の電極９を外部回路に接続することができる。このような構造を採用する場合には、発光層以外の有機層、および第２の電極９の形成において、マスクレスで所定形状に形成することが可能となる。それにより、蒸着マスクの接触による基板１２上のパターンの損傷を防止することができるばかりか、マスキングフィルム１３を蒸着マスクとして用いることができるので、蒸着マスクの装着時間の削減による装置タクトの向上、設備コストの低減が可能であり、結果として、有機ＥＬ表示装置１のコスト削減が図れる。加えて、図１４のように基板１０１と蒸着マスク１０２との間に隙間Ｇを保ちながら発光層を形成すれば、有機ＥＬ素子の製造工程において、蒸着マスクが一度も接触することがない。したがって、蒸着マスクの接触による基板上のパターンの損傷を恐れが全くなくなり、有機ＥＬ表示装置１の歩留まりをより向上することができる。
【０１５１】
〔実施の形態２〕
次に、図７から図９に基づいて、本発明の第２の実施形態について説明する。本実施の形態においては、発光層８Ｒ・８Ｇ・８Ｂを含む有機層の形成工程後に、マスキングフィルム１３をマスクとして、封止膜を形成し、その後、マスキングフィルム１３の剥離を行った後に、封止基板を用いて、有機ＥＬ素子の封止を行っている点において、実施の形態１とは異なっており、その他の構成については実施の形態１において説明したとおりである。説明の便宜上、上記の実施の形態１の図面に示した部材と同じ機能を有する部材については、同じ符号を付し、その説明を省略する。
【０１５２】
図９は、有機ＥＬ表示装置１ａの概略的な製造工程を示す図である。
【０１５３】
図９におけるＳ１からＳ７までの工程は、実施の形態１における図３で既に説明したＳ１からＳ７までの工程と同じであるため、その説明は省略する。
【０１５４】
図７は、有機ＥＬ表示装置１ａを備えた基板３ａに形成されたマスキングフィルム１３のパターン形状と発光層８Ｒ・８Ｇ・８Ｂとを示す図である。
【０１５５】
そして、図７に示すようなマスキングフィルム１３をマスクとして、有機ＥＬ素子の上面である第２の電極上に、水分や酸素の透過しにくい緻密な封止膜（未図示）をＣＶＤ法などで形成し、有機ＥＬ素子の側面には、封止樹脂やフリットガラス（粉末ガラス）を枠状に形成し、有機ＥＬ素子の封止を行った（Ｓ８）。
【０１５６】
なお、本実施の形態においては、発光層８Ｒ・８Ｇ・８Ｂ、第２の電極の形成および封止膜の形成を、マスキングフィルム１３をマスクとして用いて行ったが、これに限定されることはなく、実施の形態１で述べたように、発光層以外の有機層に対しても、マスキングフィルム１３のみ、あるいはマスキングフィルム１３とオープンマスクを併用して形成することもできる。
【０１５７】
その後、マスキングフィルム１３を剥離する（Ｓ９）。なお、この際、上述したように有機ＥＬ素子は封止膜などで保護されているため、有機ＥＬ素子は剥離工程にて損傷されない。
【０１５８】
それから、蒸着が完了した基板３ａに対して、第１の電極、正孔注入層および正孔輸送層、発光層８Ｒ・８Ｇ・８Ｂ、電子輸送層、電子注入層、第２の電極を備えた有機ＥＬ素子が大気中の水分や酸素にて劣化しないよう、表示領域Ｒ１を含む封止領域の封止を行う（Ｓ１０）。
【０１５９】
図８に図示されているように、表示領域Ｒ１を含む封止領域の４辺端部には、封止樹脂１１が枠状に形成され、封止樹脂１１を介して、基板３ａと封止基板（未図示）とが貼り合わせられている。
【０１６０】
そして、各有機ＥＬパネル毎に基板３ａを分断し（Ｓ１１）、蒸着不要領域Ｒ２に形成されている端子部を用いて外部回路（駆動回路）との接続を行い（Ｓ１２）、有機ＥＬ表示装置１ａを完成させる。
【０１６１】
以上のようにして作製した有機ＥＬ表示装置１ａにおいては、蒸着不要領域Ｒ２に蒸着膜が形成されない。したがって、実施の形態１と同じように、簡便に蒸着不要領域Ｒ２への蒸着膜の形成問題が解決される。
【０１６２】
さらに、マスキングフィルム１３を蒸着マスクとして用いることができるので、蒸着マスクの装着時間の削減による装置タクトの向上、設備コストの低減が可能であり、結果として、有機ＥＬ表示装置１ａのコスト削減が図れる。
【０１６３】
同時に、基板３ａへのマスク密着回数の低減により、有機ＥＬパネルの表面への損傷を低減することができ、有機ＥＬ表示装置１ａの歩留まり向上に繋がる。
【０１６４】
なお、本実施の形態においては、第２の電極や封止膜の形成は、蒸着法で形成しているが、これに限定されることはなく、スパッタ法などの他の成膜法を用いることもできる。
【０１６５】
また、第２の電極の形成だけで、マスキングフィルム１３の剥離工程において、有機ＥＬ素子を劣化から保護できるのであれば、封止膜の形成工程を省いてもよい。
【０１６６】
また、図８において、封止樹脂１１で囲まれる領域である封止領域の外縁も蒸着不要領域Ｒ２に含まれており、マスキングフィルム１３で保護されている（図７参照）。
【０１６７】
したがって、封止樹脂１１やフリットガラス（粉末ガラス）により枠状に有機ＥＬ素子を封止する場合や、封止樹脂１１にて封止基板とＴＦＴ基板とを貼り合せて封止する場合に、封止領域の外縁で蒸着膜が基板間に介在する（挟まれる）ことがない。
【０１６８】
よって、封止樹脂１１やフリットガラスの密着性低下や空孔を防ぐことができ、封止性能を十分に発揮させることができるため、有機ＥＬ表示装置１ａの信頼性を向上させることができる。
【０１６９】
〔実施の形態３〕
次に、図１０から図１２に基づいて、本発明の第３の実施形態について説明する。本実施の形態においては、マスキングフィルム１３の剥離工程後に、第２の電極が形成されるという点において、実施の形態１とは異なっている。また、発光層以外の有機層についても、蒸着マスクを用いず、マスキングフィルム１３をマスクとして形成する点において、実施の形態１とは異なっている。また、マスキングフィルム１３が封止樹脂を塗布する枠状の領域まで覆っており、表示領域Ｒ１のみが開口している点で、実施の形態１とは異なっている。その他の構成については実施の形態１において説明したとおりである。説明の便宜上、上記の実施の形態１の図面に示した部材と同じ機能を有する部材については、同じ符号を付し、その説明を省略する。
【０１７０】
図１２は、有機ＥＬ表示装置１ｂの概略的な製造工程を示す図である。
【０１７１】
図１２におけるＳ１、Ｓ２およびＳ４までの工程においては、実施の形態１における図３で既に説明したＳ１、Ｓ２およびＳ４までの工程と同じであるため、その説明は省略する。Ｓ３、Ｓ５およびＳ６の工程においては、実施の形態１における図３のＳ７の工程に類似する。すなわち、表示領域Ｒ１のみが開口したマスキングフィルム１３をマスクとして正孔注入層および正孔輸送層、電子輸送層、および電子注入層が形成される。このマスキングフィルム１３は第２の電極接続部Ｒ３を覆っているため、その上には、上記有機層は形成されない。
【０１７２】
図１０は、基板３ｂに形成されたマスキングフィルム１３のパターン形状と発光層８Ｒ・８Ｇ・８Ｂとを示す図である。
【０１７３】
図示されているように、マスキングフィルム１３は、表示領域Ｒ１において、開口部を有するように形成されている。
【０１７４】
したがって、この処理によって、有機ＥＬ素子を構成する蒸着膜には損傷は与えられない。
【０１７５】
そして、本実施の形態の有機ＥＬ表示装置１ｂの製造工程においては、図１２に図示されているように、第２の電極を形成する前にマスキングフィルム１３を剥離する（Ｓ７）。
【０１７６】
その後、マスキングフィルム１３が剥離されているため、通常のオープンマスクを用いて、第２の電極を蒸着する（Ｓ８）。
【０１７７】
以上のように、蒸着が完了した基板３ｂに対して、第１の電極、正孔注入層および正孔輸送層、発光層８Ｒ・８Ｇ・８Ｂ、電子輸送層、電子注入層、第２の電極を備えた有機ＥＬ素子が大気中の水分や酸素にて劣化しないよう、表示領域Ｒ１を含む封止領域の封止を行う（Ｓ９）。
【０１７８】
図１１は、マスキングフィルム１３の剥離、第２の電極の蒸着および表示領域Ｒ１を含む封止領域の封止までを行った後の基板３ｂを示す図である。
【０１７９】
図示されているように、表示領域Ｒ１を含む封止領域の４辺端部には、封止樹脂１１が枠状に形成され、封止樹脂１１を介して、基板３ｂと封止基板（未図示）とが貼り合わされている。
【０１８０】
そして、各有機ＥＬパネル毎に基板３ｂを分断し（Ｓ１０）、蒸着不要領域Ｒ２に形成されている端子部を用いて外部回路（駆動回路）との接続を行い（Ｓ１１）、有機ＥＬ表示装置１ｂを完成させる。
【０１８１】
以上のようにして作製した有機ＥＬ表示装置１ｂでは、蒸着不要領域Ｒ２に蒸着膜が形成されない。したがって、実施の形態１および２と同じく、簡便に蒸着不要領域Ｒ２への蒸着膜の形成問題が解決される。
【０１８２】
また、マスキングフィルム１３を発光層８Ｒ・８Ｇ・８Ｂを含む有機膜の蒸着マスクとして用いることができるので、蒸着マスクの装着時間の削減による装置タクトの向上、マスク枚数削減による設備コストの低減が可能であり、結果として、有機ＥＬ表示装置１ｂのコスト削減が図れる。
【０１８３】
同時に、マスク密着回数の低減により、有機ＥＬパネルの表面への損傷を低減することができ、有機ＥＬ表示装置１ｂの歩留まりを向上させることができる。
【０１８４】
さらには、封止樹脂１１で囲まれる領域である封止領域の外縁（封止樹脂を形成する枠状領域）も蒸着不要領域Ｒ２に含まれており、マスキングフィルム１３で保護されている（図１０および図１１参照）。
【０１８５】
したがって、封止樹脂１１やフリットガラス（粉末ガラス）により枠状に有機ＥＬ素子を封止する場合や、封止樹脂１１にて封止基板とＴＦＴ基板とを貼り合せて封止する場合に、封止領域の外縁で蒸着膜が基板間に介在する（挟まれる）ことがない。
【０１８６】
よって、封止樹脂１１やフリットガラスの密着性低下や空孔を防ぐことができ、封止性能を十分に発揮させることができるため、有機ＥＬ表示装置１ｂの信頼性を向上させることができる。
【０１８７】
〔実施の形態４〕
この実施の形態は、実施の形態１において、マスキングフィルム１３の形成パターンを変更したものである。この実施の形態では、図１９に示すように、基板３上のストライプ状の発光層８Ｒ，８Ｇ，８Ｂが形成される領域に存在する蒸着不要領域（即ち表示領域Ｒ１における基板走査方向の両側に存在する端子部領域Ｒ２、および封止領域（符号１１の内側の領域、以後、説明便宜上、封止領域１１と呼ぶ）における基板走査方向の両側の外縁）を被覆するように、基板３に帯状のマスキングフィルム１３が形成される。
【０１８８】
より詳細には、この実施の形態のマスキングフィルム１３は、各表示領域Ｒ１を露出し、且つ各表示領域Ｒ１における基板走査方向の両側にある上記蒸着不要領域を被覆するように、基板３における基板走査方向の上流端および下流端、並びに基板走査方向に隣り合う各表示領域Ｒ１間の領域において、基板走査方向に直交する方向（以後、走査直交方向と呼ぶ）に沿って基板３の端から端まで伸びるように、形成される。
【０１８９】
なお、図１９では、図中の左上の表示領域Ｒ１に対してだけ、端子部領域Ｒ２、第２端子接続部Ｒ３および封止領域１１が図示されているが、他の表示領域Ｒ１についても同様に端子部領域Ｒ２、第２端子接続部Ｒ３および封止領域１１が設定されている。
【０１９０】
この実施の形態では、図２０に示すように有機ＥＬ表示装置１ｃが製造される。
【０１９１】
まず実施の形態１と同様にＴＦＴおよび第１電極を備えた基板３ｃを作製し、その基板３ｃに、図１９に示すように（即ち上述のように）、基板３ｃ上のストライプ状の発光層８Ｒ，８Ｇ，８Ｂが形成される領域に存在する蒸着不要領域（即ち表示領域Ｒ１における基板走査方向の両側に存在する端子部領域Ｒ２、封止領域１１における基板走査方向の両側の外縁）を被覆するように、帯状のマスキングフィルム１３を形成する（Ｔ１）。
【０１９２】
この状態で、基板３に有機ＥＬ素子を作製する（Ｔ２）。即ち実施の形態１と同様に、マスクとマスキングフィルム１３とを用いて例えば基板走査による蒸着を行って各有機層（正孔注入層、正孔輸送層、発光層、電子輸送層および電子注入層）を形成する。
【０１９３】
これにより、図１９に示すように、基板３ｃの表示領域Ｒ１およびマスキングフィルム１３上に、基板走査方向に伸びたストライプ状の発光層８Ｒ，８Ｇ，８Ｂが形成される。なお、図１９では、上段の２つの表示領域Ｒ１上を通過する発光層８Ｒ，８Ｇ，８Ｂだけが記載されているが、同様に下段の２つの表示領域Ｒ１上を通過する発光層８Ｒ，８Ｇ，８Ｂも形成されている。なお、発光層８Ｒ，８Ｇ，８Ｂを形成する必要性の無い領域Ｒ１０（即ち、各表示領域Ｒ１における走査直交方向の両側において、基板走査方向に沿って基板３ｃの端から端まで伸びた領域）には、発光層８Ｒ，８Ｇ，８Ｂは形成されていない。そして第２電極の形成においても、オープンマスクとマスキングフィルム１３とを用いて蒸着を行い、第２電極接続部Ｒ３にて第２電極と基板３の信号配線との接続を行う。
【０１９４】
そして第２電極形成後に、マスキングフィルム１３を剥離する（Ｔ３）。これにより、各表示領域Ｒ１以外の有機ＥＬ素子がマスキングフィルム１３と共に剥離される。なお、この剥離により、表示領域Ｒ１上に形成された有機ＥＬ素子には損傷は与えられない。そして実施の形態１と同様に、封止基板により有機ＥＬ素子を封止し（Ｔ４）、そして有機ＥＬ素子毎に基板３ｃを分割した後に、端子部領域Ｒ２と外部回路との電気的接続を行って（Ｔ５）、有機ＥＬ表示装置を完成させる。
【０１９５】
なお、本実施の形態で使用できるマスキングフィルム１３のパターンとしては、図１９に示すもの以外に、図２１および図２２に示すものが挙げられる。
【０１９６】
図２１では、ストライプ状の発光層（蒸着膜）８Ｒ，８Ｇ，８Ｂが形成されない蒸着不要領域Ｒ１０に関しては、マスキングフィルム１３を形成する必要性が必ずしもないので、マスキングフィルム１３を、蒸着不要領域Ｒ１０には形成せずに各表示領域Ｒ１における基板走査方向の両側に限定し、且つ各表示領域Ｒ１における基板走査方向の両側に存在する端子部領域Ｒ２および封止領域１１における基板走査方向の両側の外縁を被覆する、島状に形成されている。
【０１９７】
また図２２では、図１９において、各表示領域Ｒ１における走査直交方向の両側における蒸着不要領域Ｒ１０においても、基板３ｃの表面の保護並びに付着異物の除去を目的として、マスキングフィルム１３ｕが更に形成されている。
【０１９８】
なお、基板３に形成される有機ＥＬパネルの数、配置、機種および大きさによって、マスキングフィルム１３のパターンは様々になるので、適宜それに合わせてマスキングフィルム１３のパターンを変更すればよい。
【０１９９】
以上のように本実施の形態によれば、蒸着不要領域Ｒ２に蒸着膜（発光層８Ｒ，８Ｇ，８Ｂなどの有機層）が形成されない。したがって、実施の形態１と同じく、簡便に蒸着不要領域Ｒ２への蒸着膜の形成問題が解決される。
【０２００】
〔実施の形態５〕
この実施の形態は、実施の形態１において、マスキングフィルム１３を、第２電極用の蒸着マスクと同じ開口部を有するように形成したものである。これによりマスキングフィルム１３が第２電極用の蒸着マスクの代替となる。
【０２０１】
より詳細には、図２３に示すように、マスキングフィルム１３は、それぞれ各表示領域Ｒ１に対応する複数の開口部１３ｓを有しており、各開口部１３ｓにおいて、開口部１３ｓに対応する表示領域Ｒ１と、その表示領域Ｒ１における基板走査方向に直交する方向（以後、走査直交方向）の両側に存在する第２電極接続部Ｒ３とだけを露出し、それ以外の領域（端子部領域Ｒ２および封止領域１１の周縁など）を被覆するように、基板３に形成されている。
【０２０２】
なお、マスキングフィルム１３は、実施の形態１と同様に、走査直交方向に伸びた複数の長尺な矩形フィルム１３ａと、基板走査方向に伸びた複数の短尺な矩形フィルム１３ｂとが並べられて構成されている。
【０２０３】
この実施の形態では、図２０に示すように有機ＥＬ表示装置１ｄが製造される。
【０２０４】
まず実施の形態１と同様にＴＦＴおよび第１電極を備えた基板３ｄを作製し、その基板３ｄに、図２３に示すように（即ち上述のように）、第２電極用の蒸着マスクと同じ開口部１３ｓを有するマスキングフィルム１３を形成する（Ｔ１）。
【０２０５】
この状態で、基板３ｄに有機ＥＬ素子を作製する（Ｔ２）。即ち実施の形態１と同様に、例えば基板走査による蒸着を行って、図２３に示すように、基板３ｄの表示領域Ｒ１およびマスキングフィルム１３上に、基板走査方向に伸びたストライプ状の発光層８Ｒ，８Ｇ，８Ｂを形成する。なお、図２２では、作図都合上、上段の２つの表示領域Ｒ１を通過する発光層８Ｒ，８Ｇ，８Ｂだけ図示されるが、下段の２つの表示領域Ｒ１にも同様に発光層８Ｒ，８Ｇ，８Ｂが形成される。なお、この発光層８Ｒ，８Ｇ，８Ｂの形成の前後では、基板３ｄ全面に正孔注入層、正孔輸送層、電子輸送層および電子注入層がオープンマスクとマスキングフィルムとを併用して蒸着により形成される。本実施の形態では、マスキングフィルム１３が第２電極用のマスクとして機能するので、第２電極の形成は、マスクレスの蒸着により形成される。この第２電極の形成により、第２電極接続部Ｒ３にて第２電極と基板３の信号配線とが接続される。
【０２０６】
そして第２電極形成後に、マスキングフィルム１３を剥離する（Ｔ３）。これにより、表示領域Ｒ１以外の有機ＥＬ素子が剥離され且つ不要な領域（即ち第２電極接続部Ｒ３および表示領域Ｒ１以外の領域）に形成された第２電極がマスキングフィルム１３と共に剥離される。なお、この剥離により表示領域Ｒ１上に形成された有機ＥＬ素子には損傷は与えられない。そして実施の形態１と同様に、封止基板により有機ＥＬ素子を封止し（Ｔ４）、そして有機ＥＬ素子毎に基板３ｄを分割した後に、端子部領域Ｒ２と外部回路との電気的接続を行って（Ｔ５）、有機ＥＬ表示装置を完成させる。
【０２０７】
以上のように本実施の形態によれば、蒸着不要領域Ｒ２に蒸着膜が形成されない。したがって、簡便に蒸着不要領域Ｒ２の蒸着膜の形成問題が解決される。
【０２０８】
またマスキングフィルム１３が第２電極用の蒸着マスクを兼ねているため、蒸着マスクの装着時間の削減による装置タクトの向上、マスク枚数低減による設備コストの低減が可能であり、結果として、有機ＥＬ表示装置のコスト削減が図れる。同時に、マスク密着回数の低減により、有機ＥＬパネルの表面への損傷を低減することができ、有機ＥＬ表示装置の歩留まり向上に繋がる。なお、第２電極の形成は蒸着だけでなく、スパッタ法などの他の成膜法を用いることができる。
【０２０９】
また本実施の形態では、マスキングフィルム１３は、第２電極用のマスクとしてだけでなく、封止膜用のマスクとして兼用できる。その場合は、封止膜は第２電極と同一形状に形成される。
【０２１０】
また封止領域１１の外縁も蒸着不要領域に含まれており、マスキングフィルム１３で保護されている。従って、封止樹脂やフリットガラスにより枠状に有機ＥＬ素子を封止する場合や、樹脂にて封止基板とＴＦＴ基板を貼り合せて封止する場合に、封止領域Ｒ４の外縁で蒸着膜が基板３間に介在する（挟まれる）ことがない。従って、樹脂やフリットガラスの密着性低下や空孔を防ぐことができ、封止性能を十分に発揮させることができるため、有機ＥＬ表示装置の信頼性が向上する。
【０２１１】
〔変形例〕
実施の形態１〜５では、マスキングフィルム１３は接着性または粘着性を有し、その接着性または粘着性により基板３，３ａ，３ｂ，３ｃ，３ｄ，３ｅに接着される場合を例に挙げて説明したが、そのように限定されない。例えばマスキングフィルム１３としては、接着性を有する面を有さない樹脂フィルムを用い、樹脂フィルムをレーザ等で基板に融着させ、その後に機械的に、あるいはレーザ照射等（熱処理）により引き剥がす方法を用いてもよい。その場合、基板上の非パターン領域に何点かのスポットで融着させれば、基板上のパターンに損傷を与えない。またマスキングフィルム１３を、熱接着フィルム等により構成してもよい。
【０２１２】
なお本発明は、有機ＥＬ表示装置の製造だけでなく、走査によって蒸着を行う物であれば他にも適用できる。
【０２１３】
なお、上記の実施の形態１〜５では、マスキングフィルム１３をマスクとして有機層（特に発光層）を形成する場合で説明したが、マスキングフィルム１３をマスクとして、配線などの金属層を形成してもよい。また有機層の代わりに無機層を用いてもよく、その場合は、マスキングフィルム１３をマスクとして無機層を形成してもよい。
【０２１４】
〔要点概要〕
以上のように、本発明の実施の形態に係る蒸着膜の形成方法は、上記の課題を解決するために、基板に蒸着膜を形成する蒸着膜の形成方法であって、上記基板の所定領域に剥離可能な遮蔽フィルムを形成する工程と、上記基板において、上記遮蔽フィルムを介して、蒸着膜を形成する工程と、上記遮蔽フィルムを剥離することで、上記蒸着膜を所定形状に形成する工程と、を有している。
【０２１５】
上記方法によれば、上記基板の所定領域に剥離可能な遮蔽フィルムを形成した後に、上記基板上に、上記遮蔽フィルムを介して、比較的容易に高精細な蒸着膜を形成し、上記遮蔽フィルムを剥離することによって、上記蒸着膜を所定形状の高精細なパターンに形成できる。
【０２１６】
したがって、上記方法によれば、高精細なパターニングが可能となる。
【０２１７】
また遮蔽フィルムを介して蒸着膜を基板に形成した後に遮蔽フィルムを剥離するので、遮蔽フィルムを形成した領域に蒸着膜が形成される事を防止できる。
【０２１８】
本発明の実施の形態に係る蒸着膜の形成方法は、上記遮蔽フィルムは、複数のフィルム部材が重なりを許して並べられて構成されることが好ましい。
【０２１９】
上記方法によれば、上記遮蔽フィルムは、複数のフィルム部材が重なりを許して並べられて構成されるので、遮蔽フィルムの基板への形成が行い安く、且つ遮蔽フィルムのパターンを様々なパターンに対応させ易い。
【０２２０】
本発明の実施の形態に係る蒸着膜の形成方法は、上記遮蔽フィルムは、接着性または粘着性を有する面を有することが好ましい。
【０２２１】
上記方法によれば、上記遮蔽フィルムは、接着性または粘着性を有する面を有するので、その面を基板に張り付けるだけで簡単に、遮蔽フィルムを基板に形成する事ができる。また遮蔽フィルムの剥離も容易に行える。そしてその剥離の際には、遮蔽フィルムの形成前に基板に付着していた塵を遮蔽フィルムの剥離と共に除去できる。
【０２２２】
本発明の実施の形態に係る蒸着膜の形成方法は、上記遮蔽フィルムは、接着性を有する面を有さない樹脂フィルムにより形成され、熱融着により上記基板に接着されることが好ましい。
【０２２３】
上記方法によれば、熱融着により遮蔽フィルムが基板に形成されるので、接着性を有する面を有さない樹脂フィルムを遮蔽フィルムとして利用できる。また接着性を用いないので、遮蔽フィルムを剥離する際に、基板に接着剤が残渣として残ることを防止できる。
【０２２４】
本発明の実施の形態に係る蒸着膜の形成方法は、上記遮蔽フィルムは、熱処理により上記基板から剥離されることが好ましい。
【０２２５】
上記方法によれば、熱処理により遮蔽フィルムが剥離されるので、簡単に遮蔽フィルムを剥離できる。
【０２２６】
本発明の実施の形態に係る蒸着膜の形成方法は、上記遮蔽フィルムは、上記基板において外部回路が接続される端子部領域を被覆するように形成されることが好ましい。
【０２２７】
上記方法によれば、上記遮蔽フィルムは、上記基板において外部回路が接続される端子部領域を被覆するように形成されるので、端子部領域に蒸着膜が形成される事を防止できる。これにより端子部と外部回路との電気的接続を良好にできる。
【０２２８】
本発明の実施の形態に係る蒸着膜の形成方法は、上記蒸着膜は、互いに所定間隔を有する複数の直線状であり、所定方向に沿って形成されることが好ましい。
【０２２９】
上記方法によれば、上記蒸着膜は、互いに所定間隔を有する複数の直線状であり所定方向に沿って形成されるので、上記蒸着膜を所定形状の高精細なパターンに形成できる。
【０２３０】
本発明の実施の形態に係る蒸着膜の形成方法は、上記基板上に上記蒸着膜を形成する工程の前、当該工程の後、または当該工程の前後には、上記遮蔽フィルムをマスクとして、上記蒸着膜とは異なる第１の膜を形成する工程が含まれており、上記遮蔽フィルムの剥離は、上記第１の膜を形成する工程の後に行われることが好ましい。
【０２３１】
上記方法によれば、上記遮蔽フィルムの形成後の工程においては、上記遮蔽フィルムを蒸着マスクとして用いることができるので、マスクレスで蒸着を行うことができ、蒸着マスクの装着時間の削減による装置タクトの向上、設備コストの低減が可能となる。
【０２３２】
同時に、蒸着マスクの密着回数の低減により、上記基板の表面への損傷を低減することができる。
【０２３３】
本発明の実施の形態に係る蒸着膜の形成方法は、上記基板上に上記蒸着膜を形成する工程の前、当該工程の後、または当該工程の前後には、貫通孔を有するマスクを用いて、上記蒸着膜とは異なる第２の膜を形成する工程が含まれており、上記遮蔽フィルムの剥離は、上記第２の膜を形成する工程の後に行われることが好ましい。
【０２３４】
上記方法によれば、貫通孔を有するマスクと基板とは、上記遮蔽フィルムを介して密着されるため、上記遮蔽フィルムが基板の保護膜の役割をし、上記基板の表面への損傷を低減することができる。
【０２３５】
本発明の実施の形態に係る蒸着膜の形成方法は、上記基板上に上記蒸着膜を形成する工程においては、貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、上記マスクユニットおよび上記基板の少なくとも何れかの一方は、他方に対して、走査され、上記蒸着膜が形成されることが好ましい。
【０２３６】
上記方法によれば、効率よく、高精細に互いに所定間隔を有する複数の直線状の上記蒸着膜を形成することができる。
【０２３７】
本発明の実施の形態に係る蒸着膜の形成方法においては、上記マスクユニットにおける上記蒸着マスクと、上記基板とは、密着されていてもよい。
【０２３８】
上記方法によれば、上記基板と上記蒸着マスクとは、上記遮蔽フィルムを介して密着されているため、上記蒸着マスクによる上記基板への損傷を上記遮蔽フィルムによって、防止することができる。
【０２３９】
本発明の実施の形態に係る表示装置の製造方法は、上記の課題を解決するために、基板上に複数のアクティブ素子を形成する工程と、上記各々のアクティブ素子に電気的に接続され、かつ、上記基板上の表示領域にマトリクス状に第１の電極を形成する工程と、上記第１の電極上に、少なくとも発光層を含む有機層を形成する工程と、少なくとも上記有機層上に、上記第１の電極とは逆の極性を有する第２の電極を形成する工程と、を有する表示装置の製造方法であって、上記有機層中、少なくとも上記発光層を形成する工程においては、上記表示領域を被覆せず且つ上記表示領域の周辺領域である非表示領域の少なくとも一部を被覆するように、剥離可能な遮蔽グフィルムが形成され、上記基板上に、上記遮蔽フィルムを介して、上記マトリクス状に形成された第１の電極の行方向または、列方向に沿って、互いに所定間隔を有する複数の直線状の少なくとも上記発光層が形成され、上記有機層中、少なくとも上記発光層を形成する工程の後または、上記第２の電極を形成する工程の後に、上記遮蔽フィルムを剥離することによって、少なくとも上記発光層を所定形状に形成する。
【０２４０】
上記方法によれば、歩留まりや信頼性の向上された表示装置の製造方法を実現することができる。
【０２４１】
本発明の実施の形態に係る表示装置の製造方法は、上記少なくとも発光層を含む有機層を形成する工程においては、上記遮蔽フィルムをマスクとして、上記有機層中、上記発光層以外の層、あるいは金属層あるいは無機層を形成する工程が含まれていることが好ましい。
【０２４２】
上記方法によれば、上記遮蔽フィルムの形成後の工程においては、上記遮蔽フィルムをマスクとして用いることができるので、マスクレスで蒸着を行うことができ、マスクの装着時間の削減による装置タクトの向上、設備コストの低減が可能となる。
【０２４３】
同時に、マスクの密着回数の低減により、上記基板の表面への損傷を低減することができる。
【０２４４】
したがって、上記方法によれば、歩留まりや信頼性の向上を図れるとともに、製造コストを抑制することができる。
【０２４５】
本発明の実施の形態に係る表示装置の製造方法は、上記少なくとも発光層を含む有機層を形成する工程においては、貫通孔を有するマスクを用いて、上記有機層中、上記発光層以外の層、あるいは金属層あるいは無機層を形成する工程が含まれていることが好ましい。
【０２４６】
上記方法によれば、貫通孔を有するマスクと基板とは、上記遮蔽フィルムを介して密着されるため、上記遮蔽フィルムが基板の保護膜の役割をし、上記基板の表面への損傷を低減することができるので、歩留まりや信頼性の向上された表示装置の製造方法を実現できる。
【０２４７】
本発明の実施の形態に係る表示装置の製造方法においては、上記遮蔽フィルムの剥離は、上記第２の電極を形成する工程の後に行われ、上記第２の電極を形成する工程においては、上記遮蔽フィルムをマスクとして、上記第２の電極が形成されることが好ましい。
【０２４８】
上記方法によれば、上記遮蔽フィルムを上記第２の電極を形成する工程において、マスクとして用いることができるので、上記第２の電極を形成する工程をマスクレスで行うことができ、マスクの装着時間の削減による装置タクトの向上、設備コストの低減が可能となる。
【０２４９】
同時に、蒸着マスクの密着回数の低減により、上記基板の表面への損傷を低減することができる。
【０２５０】
本発明の実施の形態に係る表示装置の製造方法は、上記第２の電極を形成する工程においては、貫通孔を有するマスクを用いて、上記第２の電極が形成されることが好ましい。
【０２５１】
本発明の実施の形態に係る表示装置の製造方法においては、上記遮蔽フィルムは、上記有機層中、少なくとも上記発光層を形成する工程の後であって、上記第２の電極を形成する工程の前に剥離されることが好ましい。
【０２５２】
上記方法によれば、少なくとも上記発光層を形成する工程の後には、上記遮蔽フィルムを剥離することができる。
【０２５３】
本発明の実施の形態に係る表示装置の製造方法は、上記表示領域において、上記第１の電極と、上記有機層と、上記第２の電極と、を封止部材で封止する工程を有し、上記封止部材で封止する工程は、上記遮蔽フィルムを剥離することによって、少なくとも上記発光層を所定形状に形成する前に行われることが好ましい。
【０２５４】
上記方法によれば、上記第１の電極と、上記有機層と、上記第２の電極と、を封止部材で封止した状態で上記遮蔽フィルムを剥離するので、上記遮蔽フィルムの剥離による影響を抑制することができる。
【０２５５】
本発明の実施の形態に係る表示装置の製造方法は、上記遮蔽フィルムをマスクとして、上記表示領域において、上記第１の電極と、上記有機層と、上記第２の電極と、を封止する封止膜を形成する工程を有し、上記封止膜を形成する工程は、上記遮蔽フィルムを剥離することによって、少なくとも上記発光層を所定形状に形成する前に行われ、上記遮蔽フィルムを剥離することによって、少なくとも上記発光層を所定形状に形成した後には、上記表示領域において、上記第１の電極と、上記有機層と、上記第２の電極と、上記封止膜と、を封止部材で封止する工程を行うことが好ましい。
【０２５６】
上記方法によれば、上記第１の電極と、上記有機層と、上記第２の電極と、を封止膜で封止した状態で上記遮蔽フィルムを剥離するので、上記遮蔽フィルムの剥離による影響を抑制することができる。
【０２５７】
また、上記封止膜とは別途に、封止部材で封止もされているため、信頼性を向上させることができる。
【０２５８】
本発明の実施の形態に係る表示装置の製造方法は、上記表示領域において、上記第１の電極と、上記有機層と、上記第２の電極と、を封止部材で封止する工程を有し、上記封止部材で封止する工程は、上記第２の電極を形成する工程の後に、行われることが好ましい。
【０２５９】
本発明の実施の形態に係る表示装置の製造方法においては、上記開口部および上記パターン膜上に、上記マトリクス状に形成された第１の電極の行方向または、列方向に沿って、互いに所定間隔を有する複数の直線状の少なくとも上記発光層を形成する際には、貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、上記マスクユニットおよび上記基板の少なくとも何れかの一方は、他方に対して、走査され、少なくとも上記発光層が形成されることが好ましい。
【０２６０】
上記方法によれば、効率よく、歩留まりや信頼性の向上された表示装置の製造方法を実現することができる。
【０２６１】
本発明の実施の形態に係る表示装置の製造方法においては、上記マスクユニットにおける上記蒸着マスクと、上記基板とは、密着されていてもよい。
【０２６２】
上記方法によれば、上記基板と上記蒸着マスクとは、上記遮蔽フィルムを介して密着されているため、上記蒸着マスクによる上記基板への損傷を上記遮蔽フィルムによって、防止することができる。
【０２６３】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０２６４】
本発明は、例えば、有機ＥＬ表示装置の製造工程などに好適に用いることができる。
【符号の説明】
【０２６５】
１、１ａ、１ｂ、１ｃ、１ｄ      有機ＥＬ表示装置（表示装置）
２                              ＴＦＴ（アクティブ素子）
３、３ａ、３ｂ、３ｃ、３ｄ      基板
５                              第１の電極
７                              正孔注入層および正孔輸送層（有機層）
８Ｒ、８Ｇ、８Ｂ                発光層
９                              第２の電極
１０                            有機ＥＬ素子
１１                            封止樹脂（封止部材）
１２                            封止基板（封止部材）
１３                            マスキングフィルム（遮蔽フィルム）
Ｒ１                            表示領域
Ｒ２                            蒸着不要領域（端子部領域）（非表示領域）
Ｒ３                            第２の電極接続部
【図１】
2012090770.tif 000003
【図２】
2012090770.tif 000004
【図３】
2012090770.tif 000005
【図４】
2012090770.tif 000006
【図５】
2012090770.tif 000007
【図６】
2012090770.tif 000008
【図７】
2012090770.tif 000009
【図８】
2012090770.tif 000010
【図９】
2012090770.tif 000011
【図１０】
2012090770.tif 000012
【図１１】
2012090770.tif 000013
【図１２】
2012090770.tif 000014
【図１３】
2012090770.tif 000015
【図１４】
2012090770.tif 000016
【図１５】
2012090770.tif 000017
【図１６】
2012090770.tif 000018
【図１７】
2012090770.tif 000019
【図１８】
2012090770.tif 000020
【図１９】
2012090770.tif 000021
【図２０】
2012090770.tif 000022
【図２１】
2012090770.tif 000023
【図２２】
2012090770.tif 000024
【図２３】
2012090770.tif 000025
【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
基板の所定領域に剥離可能な遮蔽フィルムを形成する工程と、
上記基板において、上記遮蔽フィルムを介して蒸着膜を形成する工程と、
上記遮蔽フィルムを剥離することで、上記蒸着膜を所定形状に形成する工程と、
を有する上記基板に蒸着膜を形成する蒸着膜の形成方法であって、
上記基板に上記蒸着膜を形成する工程の前、当該工程の後、または当該工程の前後には、貫通孔を有するマスクを用いて、上記蒸着膜とは異なる第２の膜を形成する工程が含まれており、
上記遮蔽フィルムの剥離は、上記第２の膜を形成する工程の後に行われることを特徴とする蒸着膜の形成方法。
【請求項２】
基板の所定領域に剥離可能な遮蔽フィルムを形成する工程と、
上記基板において、上記遮蔽フィルムを介して蒸着膜を形成する工程と、
上記遮蔽フィルムを剥離することで、上記蒸着膜を所定形状に形成する工程と、
を有する上記基板に蒸着膜を形成する蒸着膜の形成方法であって、
上記基板に上記蒸着膜を形成する工程においては、
貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、上記蒸着膜が形成されることを特徴とする蒸着膜の形成方法。
【請求項３】
上記基板上に上記蒸着膜を形成する工程の前、当該工程の後、または当該工程の前後には、上記遮蔽フィルムをマスクとして、上記蒸着膜とは異なる第１の膜を形成する工程が含まれており、
上記遮蔽フィルムの剥離は、上記第１の膜を形成する工程の後に行われることを特徴とする請求項２に記載の蒸着膜の形成方法。
【請求項４】
上記基板に上記蒸着膜を形成する工程の前、当該工程の後、または当該工程の前後には、貫通孔を有するマスクを用いて、上記蒸着膜とは異なる第２の膜を形成する工程が含まれており、
上記遮蔽フィルムの剥離は、上記第２の膜を形成する工程の後に行われることを特徴とする請求項２に記載の蒸着膜の形成方法。
【請求項５】
上記遮蔽フィルムは、複数のフィルム部材が重なりを許して並べられて構成されることを特徴とする請求項１から４の何れか１項に記載の蒸着膜の形成方法。
【請求項６】
上記遮蔽フィルムは、接着性または粘着性を有する面を有することを特徴とする請求項１から５の何れか１項に記載の蒸着膜の形成方法。
【請求項７】
上記遮蔽フィルムは、接着性を有する面を有さない樹脂フィルムにより形成され、熱融着により上記基板に接着されることを特徴とする請求項１から５の何れか１項に記載の蒸着膜の形成方法。
【請求項８】
上記遮蔽フィルムは、熱処理により上記基板から剥離されることを特徴とする請求項７に記載の蒸着膜の形成方法。
【請求項９】
上記遮蔽フィルムは、上記基板において、外部回路が接続される端子部領域を被覆するように形成されることを特徴とする請求項１から８の何れか１項に記載の蒸着膜の形成方法。
【請求項１０】
上記蒸着膜は、互いに所定間隔を有する複数の直線状であり、所定方向に沿って形成されることを特徴とする請求項２に記載の蒸着膜の形成方法。
【請求項１１】
上記マスクユニットにおける上記蒸着マスクと、上記基板とは、密着されていることを特徴とする請求項２から４の何れか１項に記載の蒸着膜の形成方法。
【請求項１２】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記少なくとも発光層を含む有機層を形成する工程においては、貫通孔を有するマスクを用いて、上記有機層中、上記発光層以外の層、あるいは金属層あるいは無機層を形成する工程が含まれていることを特徴とする表示装置の製造方法。
【請求項１３】
上記少なくとも発光層を含む有機層を形成する工程においては、上記遮蔽フィルムをマスクとして、上記有機層中、上記発光層以外の層、あるいは金属層あるいは無機層を形成する工程が含まれていることを特徴とする請求項１２に記載の表示装置の製造方法。
【請求項１４】
上記遮蔽フィルムの剥離は、上記第２の電極を形成する工程の後に行われ、
上記第２の電極を形成する工程においては、上記遮蔽フィルムをマスクとして、上記第２の電極が形成されることを特徴とする請求項１２または１３に記載の表示装置の製造方法。
【請求項１５】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記第２の電極を形成する工程においては、貫通孔を有するマスクを用いて、上記第２の電極が形成されることを特徴とする表示装置の製造方法。
【請求項１６】
上記第２の電極を形成する工程においては、貫通孔を有するマスクを用いて、上記第２の電極が形成されることを特徴とする請求項１２または１３に記載の表示装置の製造方法。
【請求項１７】
上記遮蔽フィルムは、上記有機層のうちの少なくとも上記発光層を形成する工程の後であって、上記第２の電極を形成する工程の前に剥離されることを特徴とする請求項１５または１６に記載の表示装置の製造方法。
【請求項１８】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記表示領域において、上記第１の電極と、上記有機層と、上記第２の電極と、を封止部材で封止する工程を有し、
上記封止部材で封止する工程は、上記遮蔽フィルムを剥離することによって、少なくとも上記発光層を所定形状に形成する前に行われることを特徴とする表示装置の製造方法。
【請求項１９】
上記表示領域において、上記第１の電極と、上記有機層と、上記第２の電極と、を封止部材で封止する工程を有し、
上記封止部材で封止する工程は、上記遮蔽フィルムを剥離することによって、少なくとも上記発光層を所定形状に形成する前に行われることを特徴とする請求項１２から１６の何れか１項に記載の表示装置の製造方法。
【請求項２０】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記遮蔽フィルムをマスクとして、上記表示領域において、上記第１の電極と、上記有機層と、上記第２の電極と、を封止する封止膜を形成する工程を有し、
上記封止膜を形成する工程は、上記遮蔽フィルムを剥離することによって、少なくとも上記発光層を所定形状に形成する前に行われ、
上記遮蔽フィルムを剥離することによって、少なくとも上記発光層を所定形状に形成した後には、上記表示領域において、上記第１の電極と、上記有機層と、上記第２の電極と、上記封止膜と、を封止部材で封止する工程を行うことを特徴とする表示装置の製造方法。
【請求項２１】
上記遮蔽フィルムをマスクとして、上記表示領域において、上記第１の電極と、上記有機層と、上記第２の電極と、を封止する封止膜を形成する工程を有し、
上記封止膜を形成する工程は、上記遮蔽フィルムを剥離することによって、少なくとも上記発光層を所定形状に形成する前に行われ、
上記遮蔽フィルムを剥離することによって、少なくとも上記発光層を所定形状に形成した後には、上記表示領域において、上記第１の電極と、上記有機層と、上記第２の電極と、上記封止膜と、を封止部材で封止する工程を行うことを特徴とする請求項１２から１６の何れか１項に記載の表示装置の製造方法。
【請求項２２】
上記表示領域において、上記第１の電極と、上記有機層と、上記第２の電極と、を封止部材で封止する工程を有し、
上記封止部材で封止する工程は、上記第２の電極を形成する工程の後に、行われることを特徴とする請求項１７に記載の表示装置の製造方法。
【請求項２３】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記基板上に、上記マトリクス状に形成された第１の電極の行方向または、列方向に沿って、互いに所定間隔を有する複数の直線状の少なくとも上記発光層を形成する際には、
貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、少なくとも上記発光層が形成されることを特徴とする表示装置の製造方法。
【請求項２４】
上記基板上に、上記マトリクス状に形成された第１の電極の行方向または、列方向に沿って、互いに所定間隔を有する複数の直線状の少なくとも上記発光層を形成する際には、
貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、少なくとも上記発光層が形成されることを特徴とする請求項１２から２２の何れか１項に記載の表示装置の製造方法。
【請求項２５】
上記マスクユニットにおける上記蒸着マスクと、上記基板とは、密着されていることを特徴とする請求項２３または２４に記載の表示装置の製造方法。
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
基板の所定領域に剥離可能な遮蔽フィルムを形成する工程と、
上記基板において、上記遮蔽フィルムを介して蒸着膜を形成する工程と、
上記遮蔽フィルムを剥離することで、上記蒸着膜を所定形状に形成する工程と、
を有する上記基板に蒸着膜を形成する蒸着膜の形成方法であって、
上記基板に上記蒸着膜を形成する工程の前、当該工程の後、または当該工程の前後には、貫通孔を有するマスクを用いて、上記蒸着膜とは異なる第２の膜を形成する工程が含まれており、
上記遮蔽フィルムの剥離は、上記第２の膜を形成する工程の後に行われることを特徴とする蒸着膜の形成方法。
【請求項２】
基板の所定領域に剥離可能な遮蔽フィルムを形成する工程と、
上記基板において、上記遮蔽フィルムを介して蒸着膜を形成する工程と、
上記遮蔽フィルムを剥離することで、上記蒸着膜を所定形状に形成する工程と、
を有する上記基板に蒸着膜を形成する蒸着膜の形成方法であって、
上記基板に上記蒸着膜を形成する工程においては、
貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、上記蒸着膜が形成されることを特徴とする蒸着膜の形成方法。
【請求項３】
上記基板上に上記蒸着膜を形成する工程の前、当該工程の後、または当該工程の前後には、上記遮蔽フィルムをマスクとして、上記蒸着膜とは異なる第１の膜を形成する工程が含まれており、
上記遮蔽フィルムの剥離は、上記第１の膜を形成する工程の後に行われることを特徴とする請求項２に記載の蒸着膜の形成方法。
【請求項４】
上記基板に上記蒸着膜を形成する工程の前、当該工程の後、または当該工程の前後には、貫通孔を有するマスクを用いて、上記蒸着膜とは異なる第２の膜を形成する工程が含まれており、
上記遮蔽フィルムの剥離は、上記第２の膜を形成する工程の後に行われることを特徴とする請求項２に記載の蒸着膜の形成方法。
【請求項５】
上記遮蔽フィルムは、複数のフィルム部材が重なりを許して並べられて構成されることを特徴とする請求項１から４の何れか１項に記載の蒸着膜の形成方法。
【請求項６】
上記遮蔽フィルムは、接着性または粘着性を有する面を有することを特徴とする請求項１から５の何れか１項に記載の蒸着膜の形成方法。
【請求項７】
上記遮蔽フィルムは、接着性を有する面を有さない樹脂フィルムにより形成され、熱融着により上記基板に接着されることを特徴とする請求項１から５の何れか１項に記載の蒸着膜の形成方法。
【請求項８】
上記遮蔽フィルムは、熱処理により上記基板から剥離されることを特徴とする請求項７に記載の蒸着膜の形成方法。
【請求項９】
上記遮蔽フィルムは、上記基板において、外部回路が接続される端子部領域を被覆するように形成されることを特徴とする請求項１から８の何れか１項に記載の蒸着膜の形成方法。
【請求項１０】
上記蒸着膜は、互いに所定間隔を有する複数の直線状であり、所定方向に沿って形成されることを特徴とする請求項２に記載の蒸着膜の形成方法。
【請求項１１】
上記マスクユニットにおける上記蒸着マスクと、上記基板とは、密着されていることを特徴とする請求項２から４の何れか１項に記載の蒸着膜の形成方法。
【請求項１２】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記第２の電極を形成する工程においては、貫通孔を有するマスクを用いて、上記第２の電極が形成されることを特徴とする表示装置の製造方法。
【請求項１３】
上記遮蔽フィルムは、上記有機層のうちの少なくとも上記発光層を形成する工程の後であって、上記第２の電極を形成する工程の前に剥離されることを特徴とする請求項１２に記載の表示装置の製造方法。
【請求項１４】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記表示領域において、上記第１の電極と、上記有機層と、上記第２の電極と、を封止部材で封止する工程を有し、
上記封止部材で封止する工程は、上記遮蔽フィルムを剥離することによって、少なくとも上記発光層を所定形状に形成する前に行われることを特徴とする表示装置の製造方法。
【請求項１５】
上記表示領域において、上記第１の電極と、上記有機層と、上記第２の電極と、を封止部材で封止する工程を有し、
上記封止部材で封止する工程は、上記遮蔽フィルムを剥離することによって、少なくとも上記発光層を所定形状に形成する前に行われることを特徴とする請求項１２に記載の表示装置の製造方法。
【請求項１６】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記遮蔽フィルムをマスクとして、上記表示領域において、上記第１の電極と、上記有機層と、上記第２の電極と、を封止する封止膜を形成する工程を有し、
上記封止膜を形成する工程は、上記遮蔽フィルムを剥離することによって、少なくとも上記発光層を所定形状に形成する前に行われ、
上記遮蔽フィルムを剥離することによって、少なくとも上記発光層を所定形状に形成した後には、上記表示領域において、上記第１の電極と、上記有機層と、上記第２の電極と、上記封止膜と、を封止部材で封止する工程を行うことを特徴とする表示装置の製造方法。
【請求項１７】
上記遮蔽フィルムをマスクとして、上記表示領域において、上記第１の電極と、上記有機層と、上記第２の電極と、を封止する封止膜を形成する工程を有し、
上記封止膜を形成する工程は、上記遮蔽フィルムを剥離することによって、少なくとも上記発光層を所定形状に形成する前に行われ、
上記遮蔽フィルムを剥離することによって、少なくとも上記発光層を所定形状に形成した後には、上記表示領域において、上記第１の電極と、上記有機層と、上記第２の電極と、上記封止膜と、を封止部材で封止する工程を行うことを特徴とする請求項１２に記載の表示装置の製造方法。
【請求項１８】
上記表示領域において、上記第１の電極と、上記有機層と、上記第２の電極と、を封止部材で封止する工程を有し、
上記封止部材で封止する工程は、上記第２の電極を形成する工程の後に、行われることを特徴とする請求項１３に記載の表示装置の製造方法。
【請求項１９】
基板上に複数のアクティブ素子を形成する工程と、
上記各々のアクティブ素子に電気的に接続され、かつ、上記基板上の表示領域にマトリクス状に第１の電極を形成する工程と、
上記第１の電極上に、少なくとも発光層を含む有機層を形成する工程と、
少なくとも上記有機層上に、上記第１の電極とは逆の極性を有する第２の電極を形成する工程と、を有する表示装置の製造方法であって、
上記有機層中、少なくとも上記発光層を形成する工程においては、
上記表示領域を被覆せず且つ上記表示領域の周辺領域である非表示領域の少なくとも一部を被覆するように、剥離可能な遮蔽フィルムが形成され、
上記基板上に、上記遮蔽フィルムを介して、上記マトリクス状に形成された第１の電極の行方向または、列方向に沿って、互いに所定間隔を有する複数の直線状の少なくとも上記発光層が形成され、
上記有機層中、少なくとも上記発光層を形成する工程の後または、上記第２の電極を形成する工程の後に、
上記遮蔽フィルムを剥離することによって、少なくとも上記発光層が所定形状に形成され、
上記基板上に、上記マトリクス状に形成された第１の電極の行方向または、列方向に沿って、互いに所定間隔を有する複数の直線状の少なくとも上記発光層を形成する際には、
貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、少なくとも上記発光層が形成されることを特徴とする表示装置の製造方法。
【請求項２０】
上記基板上に、上記マトリクス状に形成された第１の電極の行方向または、列方向に沿って、互いに所定間隔を有する複数の直線状の少なくとも上記発光層を形成する際には、
貫通孔を有するとともに、上記基板よりも面積が小さい蒸着マスクと、蒸着材料供給源から供給された蒸着粒子を上記蒸着マスクを介して、上記基板における上記遮蔽フィルムが形成された面に射出する射出口と、を備え、かつ、上記蒸着マスクと上記射出口との相対的な位置が固定されたマスクユニットにおける上記蒸着マスクは、上記基板とは、一定距離で維持されており、
上記マスクユニットおよび上記基板の少なくとも何れかの一方は、他方に対して、走査され、少なくとも上記発光層が形成されることを特徴とする請求項１２から１８の何れか１項に記載の表示装置の製造方法。
【請求項２１】
上記マスクユニットにおける上記蒸着マスクと、上記基板とは、密着されていることを特徴とする請求項１９または２０に記載の表示装置の製造方法。
【国際調査報告】
2012090770.tif 000026
2012090770.tif 000027
2012090770.tif 000028
2012090770.tif 000029